(57)【特許請求の範囲】
【請求項１】
インターネットと、
前記インターネットに接続されて、複数の料理のうちから所望の料理を選択するために表示される調理メニュー選択画面を含むホームページ画面に対応したホームページ情報が格納される情報格納部を有するホストコンピュータと、
前記ホームページ画面の出力部を有して、前記インターネットを介して情報を送受信する情報処理装置と、
表示部と操作部とを有し、前記情報処理装置から供給される供給情報中の表示データを前記表示部に表示し、使用者の前記操作部に対する操作に応じて、該供給情報中の加熱制御データを認識して該データに従って加熱動作する電子レンジとを備え、
前記ホームページ情報には、
前記複数の料理のそれぞれに対応して、該料理の料理名、材料および使用調理器具を含めた作り方を説明するための説明表示情報、および前記電子レンジに転送されて該料理を加熱調理するための前記加熱制御データを含む料理データと、前記調理メニュー選択画面において選択された前記料理を表示するための画面データとが含まれ、
前記画面データには、前記料理データを前記インターネットを経由して前記情報処理装置に転送するために操作される転送指示ボタンの表示情報とが含まれて、
前記供給情報として前記電子レンジに供給されるものは、前記加熱制御データと前記説明表示情報に基づく前記表示データである、電子レンジシステム。
【請求項２】
前記加熱制御データは、
前記電子レンジの機種を示す１つ以上の機種コードと、前記１つ以上の機種コードのそれぞれに対応して前記機種コードで示される前記電子レンジの前記加熱動作を制御するための第１加熱制御データとを含み、
前記電子レンジは、供給される前記加熱制御データにおける該電子レンジの機種を示す前記機種コードに対応する前記第１加熱制御データに従って加熱動作する機種対応加熱手段をさらに有する、請求項１に記載の電子レンジシステム。
【請求項３】
前記情報処理装置に専用プログラムがインストールされることにより、前記ホームページ画面の前記転送指示ボタンが有効に機能する、請求項１または２に記載の電子レンジシステム。
【請求項４】
前記情報処理装置と前記電子レンジとは赤外線を用いて前記供給情報を通信する、請求項１ないし３のいずれかに記載の電子レンジシステム。
【請求項５】
前記情報処理装置と前記電子レンジとは、記録媒体を用いて前記供給情報を伝送する、請求項１ないし３のいずれかに記載の電子レンジシステム。
【請求項６】
一方端に前記電子レンジが着脱自在に接続されて他方端に前記情報処理装置が接続されて、前記電子レンジと前記情報処理装置との間で伝送される信号を変換するための中継装置をさらに含む、請求項１ないし３のいずれかに記載の電子レンジシステム。
【請求項７】
前記中継装置は、
前記情報処理装置から受信された１つ以上の前記料理データが格納される料理データ格納部と、
前記電子レンジから前記表示部に前記料理データを表示させる要求に応答して、前記料理データ格納部中の１つ以上の前記料理データのそれぞれから前記料理名データのみを読出して前記電子レンジに送信する料理名送信手段とを有する、請求項６に記載の電子レンジシステム。
【請求項８】
前記中継装置は前記情報処理装置に着脱自在に接続されて、前記情報処理装置は、前記中継装置が前記情報処理装置に接続される場合には前記出力部に出力される前記ホームページ画面に特定項目を追加して表示する特定項目表示手段をさらに有する、請求項７に記載の電子レンジシステム。
【請求項９】
前記電子レンジは、
前記中継装置が接続されているか否かを、前記表示部を介して通知をする接続通知手段をさらに有する、請求項７または８に記載の電子レンジシステム。
【請求項１０】
前記接続通知手段は、
前記中継装置の前記料理データ格納部に１つ以上の前記料理データが既に格納されているか否かを通知する情報既格納通知手段を有する、請求項９に記載の電子レンジシステム。
【請求項１１】
前記中継装置は表示手段をさらに有し、
前記表示手段には前記料理データ格納部における前記料理データの格納状態を示す情報が表示される、請求項７から１０のいずれか１項に記載の電子レンジシステム。
【請求項１２】
前記電子レンジは外部操作されてデータを入力するための第１入力部と、
前記第１入力部が操作されて前記料理データ格納部中の所望される前記料理データの削除を指示する削除指示が入力されたことに応答して、前記中継装置に所望される前記料理データの削除を指示する第１削除指示手段とをさらに有し、
前記中継装置は、
前記第１削除指示手段により指示された料理データを前記料理データ格納部から削除する第１削除手段をさらに有する、請求項７から１１のいずれか１項に記載の電子レンジシステム。
【請求項１３】
前記中継装置は外部操作されてデータを入力するための第２入力部と、
前記第２入力部が操作されて前記料理データ格納部中の所望される前記料理データの削除を指示する削除指示が入力されたことに応答して、削除が指示された料理データを前記料理データ格納部から削除する第２削除手段とをさらに有する、請求項７から１２のいずれか１項に記載の電子レンジシステム。
【請求項１４】
前記情報処理装置は外部操作されてデータを入力するための第３入力部と、
前記第３入力部が操作されて前記料理データ格納部中の所望される前記料理データの削除を指示する削除指示が入力されたことに応答して、前記中継装置に料理データの削除を指示する第３削除指示手段とをさらに有し、
前記中継装置は、
前記第３削除指示手段により指示された所望される前記料理データを前記料理データ格納部から削除する第３削除手段をさらに有する、請求項７から１３のいずれか１項に記載の電子レンジシステム。
【請求項１５】
前記電子レンジは、
前記第１入力部が操作されて前記料理データ格納部中の所望される前記料理データの検索を指示する検索指示が入力されたことに応答して、前記中継装置に所望される前記料理データの検索を指示する第１検索指示手段をさらに有し、
前記中継装置は、
前記第１検索指示手段により指示された料理データを前記料理データ格納部において検索する第１検索手段と、
前記第１検索手段により検索された前記料理データが前記料理データ格納部において１つ以上の前記料理データの先頭に位置するように１つ以上の前記料理データを並べ換える第１並べ換手段とをさらに有する、請求項１２から１４のいずれか１項に記載の電子レンジシステム。
【請求項１６】
前記情報処理装置は、
前記第３入力部が操作されて前記料理データ格納部中の所望される前記料理データの検索を指示する検索指示が入力されたことに応答して、前記中継装置に所望される前記料理データの検索を指示する第２検索指示手段をさらに有し、
前記中継装置は、
前記第２検索指示手段により指示された料理データを前記料理データ格納部において検索する第２検索手段と、
前記第２検索手段により検索された前記料理データが前記料理データ格納部において１つ以上の前記料理データの先頭に位置するように１つ以上の前記料理データを並べ換える第２並べ換手段とをさらに有する、請求項１４または１５に記載の電子レンジシステム。
【請求項１７】
前記中継装置は、
前記第２入力部が操作されて前記料理データ格納部中の所望される前記料理データの検索を指示する検索指示が入力されたことに応答して、検索が指示された所望される前記料理データを前記料理データ格納部において検索する第３検索手段と、
前記第３検索手段により検索された前記料理データが前記料理データ格納部において１つ以上の前記料理データの先頭に位置するように１つ以上の前記料理データを並べ換える第３並べ換手段とをさらに有する、請求項１３から１６のいずれか１項に記載の電子レンジシステム。
【請求項１８】
インターネットに接続されて、複数の料理のうちから所望の料理を選択するために表示される調理メニュー選択画面を含むホームページ画面に対応したホームページ情報が格納される情報格納部を有するホストコンピュータと、前記ホームページ画面の出力部を有して、前記インターネットを介して情報を送受信する情報処理装置と、電子レンジとを備えるシステムにおける前記電子レンジであって、
表示部と操作部と加熱部を有し、前記情報処理装置から供給される供給情報中の表示データを前記表示部に表示し、使用者の前記操作部に対する操作に応じて、該供給情報中の加熱制御データを認識して該データに従って前記加熱部の加熱動作が制御されて、
前記ホームページ情報には、
前記複数の料理のそれぞれに対応して、該料理の料理名、材料および使用調理器具を含めた作り方を説明するための説明表示情報、および前記電子レンジに転送されて該料理を加熱調理するための前記加熱制御データを含む料理データと、前記調理メニュー選択画面において選択された前記料理を表示するための画面データとが含まれ、
前記画面データには、前記料理データを前記インターネットを経由して前記情報処理装置に転送するために操作される転送指示ボタンの表示情報とが含まれて、
前記電子レンジには前記供給情報として、前記加熱制御データと前記説明表示情報に基づく前記表示データが供給される、電子レンジ。
【請求項１９】
前記加熱制御データは、
前記電子レンジの機種を示す１つ以上の機種コードと、前記１つ以上の機種コードのそれぞれに対応して前記機種コードで示される前記電子レンジの前記加熱動作を制御するための第１加熱制御データとを含み、
前記加熱部は、前記加熱制御データにおける該電子レンジの機種を示す前記機種コードに対応する前記第１加熱制御データに従って前記加熱動作が制御される第１加熱部を有する、請求項１８に記載の電子レンジ。
【請求項２０】
赤外線を用いて転送される前記料理データを受信するデータ受理部をさらに備える、請求項１８または１９に記載の電子レンジ。
【請求項２１】
記録媒体を用いて転送される前記料理データを受信するデータ受信部をさらに備える、請求項１８または１９に記載の電子レンジ。
【請求項２２】
インターネットに接続されて、複数の料理のうちから所望の料理を選択するために表示される調理メニュー選択画面を含むホームページ画面に対応したホームページ情報が格納される情報格納部を有するホストコンピュータにより提供される前記ホームページ画面の出力部を有して、前記インターネットを介して情報を送受信する情報処理装置と電子レンジとの通信を中継する中継装置であって、
前記電子レンジは、表示部と操作部とを有し、前記情報処理装置から供給される供給情報中の表示データを前記表示部に表示し、使用者の前記操作部に対する操作に応じて、該供給情報中の加熱制御データを認識して該データに従って加熱動作し、
前記ホームページ情報には、
前記複数の料理のそれぞれに対応して、該料理の料理名、材料および使用調理器具を含めた作り方を説明するための説明表示情報、および前記電子レンジに転送されて該料理を加熱調理するための前記加熱制御データを含む料理データと、前記調理メニュー選択画面において選択された前記料理を表示するための画面データとが含まれ、
前記画面データには、前記料理データを前記インターネットを経由して前記情報処理装置に転送するために操作される転送指示ボタンの表示情報とが含まれて、
前記中継装置は、
前記情報処理装置から、前記料理データを受信する料理データ受信手段と、
前記料理データ受信手段により受信された１つ以上の前記料理データが格納される料理データ格納手段と、
所望される前記料理データを指定する指定データを前記電子レンジから受信した時、前記料理データ格納手段から前記指定データで指定された前記料理データを読出して、読出した前記料理データのうちの前記加熱制御データと前記説明表示情報に基づく前記表示データを前記電子レンジに送信する料理データ送信手段とを備える、中継装置。
【請求項２３】
前記指定データは前記料理名であって、
前記料理データ格納手段中の前記料理データに含まれる前記料理名をすべて読出して前記電子レンジに送信する全料理名送信手段をさらに備える、請求項２２に記載の中継装置。
【請求項２４】
インターネットに接続されて、複数の料理のうちから所望の料理を選択するために表示される調理メニュー選択画面を含むホームページ画面に対応したホームページ情報が格納される情報格納部を有するホストコンピュータと、前記ホームページ画面の出力部を有して、前記インターネットを介して情報を送受信する情報処理装置と、電子レンジとを備えるシステムにおける前記情報処理装置であって、
転送指示に応答して、前記インターネットを介して転送される１つ以上の料理のそれぞれに対応して該料理を電子レンジで加熱調理するための料理データを含むホームページ情報を受信するホームページ情報受信手段と、
前記ホームページ情報受信手段により受信された前記料理データに基づくデータを前記電子レンジに供給するためのデータ供給手段とを有し、
前記電子レンジは、
表示部と操作部とを有し、前記情報処理装置から供給される供給データ中の表示データを前記表示部に表示し、使用者の前記操作部に対する操作に応じて、該供給データ中の加熱制御データを認識して該加熱制御データに従って加熱動作し、
前記ホームページ情報には、
前記複数の料理のそれぞれに対応して、該料理の料理名、材料および使用調理器具を含めた作り方を説明するための説明表示情報、および前記電子レンジに転送されて該料理を加熱調理するための前記加熱制御データを含む前記料理データと、前記調理メニュー選択画面において選択された前記料理を表示するための画面データとが含まれ、
前記画面データには、前記料理データを前記インターネットを経由して前記情報処理装置に転送するために操作される前記転送指示のボタンの表示情報とが含まれて、
前記データ供給手段により前記電子レンジに供給されるものは、前記加熱制御データと前記説明表示情報に基づく前記表示データである、情報処理装置。
【請求項２５】
前記データ供給手段は赤外線の通信を用いて前記電子レンジにデータ供給する、請求項２４に記載の情報処理装置。
【請求項２６】
前記データ供給手段は記憶媒体を用いて前記電子レンジにデータ供給する、請求項２４に記載の情報処理装置。
【請求項２７】
前記データ供給手段は、前記電子レンジと通信するためのレンジ側コネクタ部を有し、
前記電子レンジは、前記情報処理装置と通信するための装置側コネクタ部を有し、
前記装置側コネクタ部に、前記レンジ側コネクタ部が挿入されて、前記情報処理装置から前記電子レンジにデータ供給されることを特徴とする、請求項２４に記載の情報処理装置。
【請求項２８】
インターネットに接続されて、ホームページ画面に対応したホームページ情報が格納される情報格納部を有するホストコンピュータと、前記ホームページ画面の出力部を有して、前記インターネットを介して情報を送受信する情報処理装置と、電子レンジとを備えるシステムにおける前記ホストコンピュータであって、
前記ホームページ画面は、複数の料理のうちから所望の料理を選択するために表示される調理メニュー選択画面を含み、
前記電子レンジは、表示部と操作部とを有し、前記情報処理装置から供給される供給情報中の表示データを前記表示部に表示し、使用者の前記操作部に対する操作に応じて、該供給情報中の加熱制御データを認識して該加熱制御データに従って加熱動作し、
前記情報格納部の前記ホームページ情報には、
前記複数の料理のそれぞれに対応して、該料理の料理名、材料および使用調理器具を含めた作り方を説明するための説明表示情報、および前記電子レンジに転送されて該料理を加熱調理するための前記加熱制御データを含む料理データと、前記調理メニュー選択画面において選択された前記料理を表示するための画面データとが含まれ、
前記画面データには、前記料理データを前記インターネットを経由して前記情報処理装置に転送するために操作される転送指示ボタンの表示情報とが含まれて、
前記供給情報として前記電子レンジに供給されるものは、前記加熱制御データと前記説明表示情報に基づく前記表示データである、ホストコンピュータ。
【発明の詳細な説明】
【０００１】
【発明の属する技術分野】
この発明は通信回線を介してホストコンピュータ側から供給される情報に従い各家庭の電子レンジを制御可能とするための電子レンジシステム、電子レンジ、中継装置、情報処理装置、ホストコンピュータおよびホームページ情報が記録されたコンピュータで読取可能な記録媒体に関し、特に、インターネットを介して所定のホームページ情報を有したホストコンピュータにアクセスし、該ホストコンピュータからの情報に基づいて電子レンジの制御を可能とするための電子レンジシステム、電子レンジ、中継装置、情報処理装置、ホストコンピュータおよびホームページ情報が記録されたコンピュータで読取可能な記録媒体に関する。
【０００２】
【従来の技術および発明が解決しようとする課題】
外部の通信ネットワークから与えられる情報に従って家庭機器を制御する装置が特開平１０−２７６４７８号公報に開示される。この公報では、家庭内の各種の家電機器を含んで、これを制御する家電機器制御装置においてインターネット、家電機器制御のサーバおよびリモコンを介して各家電機器がホームページのホストコンピュータから該機器の制御情報を取込んで、これに従い機能を達成する技術が示される。
【０００３】
この公報では、制御情報が調理に関する調理情報である場合も述べられているが、ユーザが所望するような調理情報をホームページから入手して、家電機器である電子レンジに供給して、該電子レンジにてどのように加熱調理のための処理が行なわれるかの具体的なものが何ら示されてなく、極めて実現性に乏しいといえる。
【０００４】
それゆえにこの発明の目的は、実用性に優れた電子レンジシステム、電子レンジ、中継装置、情報処理装置、ホストコンピュータおよびホームページ情報が記録されたコンピュータで読取可能な記録媒体を提供することである。
【０００５】
【課題を解決するための手段】
請求項１に記載の電子レンジシステムは、インターネットと、インターネットに接続されて、調理メニュー選択画面を含むホームページ画面に対応したホームページ情報が格納される情報格納部を有するホストコンピュータと、ホームページ画面の出力部を有して、インターネットを介して情報を送受信する情報処理装置と、表示部と操作部とを有し、情報処理装置から供給される供給情報中の表示データを表示部に表示し、使用者の操作部に対する操作に応じて、該供給情報中の加熱制御データを認識して該データに従って加熱動作する電子レンジとを備える。
【０００６】
ホームページ情報には、複数の料理のそれぞれに対応して、該料理の料理名、材料および使用調理器具を含めた作り方を説明するための説明表示情報、および電子レンジに転送されて該料理を加熱調理するための加熱制御データを含む料理データと、調理メニュー選択画面に設けられて料理データを前記インターネットを経由して情報処理装置に転送するために操作される転送指示ボタンの表示情報とが含まれて、供給情報として電子レンジに供給されるものは、加熱制御データと説明表示情報に基づく表示データである。
【０００７】
請求項１によればユーザはホームページ画面で出力される転送指示ボタンを操作するだけでホームページで提供される所望する料理に対応の加熱制御データをインターネット経由で電子レンジに直接与えて認識させて、すなわち加熱制御データを電子レンジにより認識できるようにデコードする処理が省略されて加熱動作を速やかに制御させることができる。したがって、所望料理が電子レンジにおいて速やかにかつ自動的に加熱調理されて実用性に優れる。
【０００８】
また、電子レンジにて認識される料理データはホームページ画面で表示されるデータではないから、電子レンジにて認識されるような特殊データである料理データがホームページ画面に表示されて画面が見づらくなったり、ユーザにとって不要な情報である料理データがホームページ画面に表示されて必要とされる情報の視認性が低下することも回避される。
【００１０】
請求項１によれば、電子レンジの表示部にて所望料理の料理名、材料データおよび作り方データが表示される。したがって、ユーザは表示部にて料理名と材料と作り方とを確認しながら、料理の材料の準備と下ごしらえができて実用性に優れる。
【００１１】
請求項２に記載の電子レンジシステムでは加熱制御データは、電子レンジの機種を示す１つ以上の機種コードと、１つ以上の機種コードのそれぞれに対応して機種コードで示される電子レンジの加熱動作を制御するための第１加熱制御データとを含む。そして、電子レンジは、供給される加熱制御データにおける該電子レンジの機種を示す機種コードに対応する第１加熱制御データに従って加熱動作する機種対応加熱手段をさらに有する。
【００１２】
請求項２によれば電子レンジでは与えられる加熱制御データ中の１つ以上の第１加熱制御データのうち該電子レンジの機種に対応する第１加熱制御データに従って加熱調理のための加熱動作が制御される。したがって、電子レンジの機種に適した加熱制御データに従い加熱動作を制御できるから電子レンジの機種の違いによる調理の仕上がり具合や調理に要する時間の最適化ができて実用性に優れる。
【００１３】
請求項３に記載の電子レンジシステムでは情報処理装置に、専用プログラムがインストールされることによりホームページ画面の転送指示ボタンが有効に機能する。
【００１４】
請求項４に記載の電子レンジシステムにおいて、情報処理装置と電子レンジとは赤外線を用いて供給情報を通信する。
【００１５】
請求項４によれば電子レンジと情報処理装置は赤外線を用いた無線通信を行う。したがって、電子レンジと情報処理装置の相互の配置は赤外線が到達しうる範囲内であれば良く電子レンジと情報処理装置の配置の自由度が高まる。
【００１６】
請求項５に記載の電子レンジシステムにおいて、情報処理装置と電子レンジとは、記録媒体を用いて供給情報を伝送する。
【００１７】
請求項５によれば電子レンジと情報処理装置は記録媒体を用いて通信を行う。したがって、電子レンジと情報処理装置相互の配置の仕方に制限はなく電子レンジと情報処理装置の配置の自由度が高まる。
【００４４】
請求項６に記載の電子レンジシステムにおいて中継装置をさらに含む。中継装置は一方端に電子レンジが着脱自在に接続されて他方端に情報処理装置が接続されて、電子レンジと情報処理装置との間で伝送される信号を変換する。
【００４５】
請求項６によれば電子レンジと情報処理装置との通信を中継する中継装置は着脱自在に電子レンジに接続される。したがって、必要時に中継装置を電子レンジに接続するだけでインターネットのホームページで提供される所望する料理に対応の加熱制御データを電子レンジに与えて加熱動作を制御して所望料理を加熱調理できる。
【００４６】
請求項７に記載の電子レンジシステムの中継装置が、情報処理装置から受信された１つ以上の料理データが格納される料理データ格納部と、電子レンジから表示部に料理データを表示させる要求に応答して、料理データ格納部中の１つ以上の料理データのそれぞれから料理名データのみを読出して電子レンジに送信する料理名送信手段とを有する。
【００４７】
請求項７によれば、要求に応じて電子レンジの表示部に料理名送信手段から送信された料理データ格納部に格納されている全ての料理データに対応の料理名が表示される。
【００４８】
したがって、ユーザは電子レンジの表示部に表示される料理名を見れば、料理データ格納部に格納されて電子レンジで調理可能な料理を容易に知ることができる。
【００４９】
請求項８に記載の電子レンジシステムの中継装置が情報処理装置に着脱自在に接続される。そして、情報処理装置は中継装置が情報処理装置に接続されている場合には出力部に出力されるホームページ画面に特定項目を追加して表示する特定項目表示手段をさらに有する。
【００５０】
請求項８によれば情報処理装置の出力部で表示されるホームページ画面に特定項目を表示して情報処理装置に中継装置が接続されていることを報知する。
【００５１】
したがって、ユーザはホームページ画面を見るだけで中継装置が情報処理装置に接続されて、料理データを中継装置の料理データ格納部に格納可能であること、中継装置を介して料理データを電子レンジに供給可能であること
を確認できる。
【００５２】
請求項９に記載の電子レンジシステムにおいて電子レンジは、中継装置が接続されているか否かを表示部を介して通知する接続通知手段をさらに有する。
【００５３】
請求項９によれば接続通知手段により電子レンジに中継装置が接続されているか否かが電子レンジの表示部を介して通知される。
【００５４】
したがって、ユーザは、電子レンジの表示部を見るだけで電子レンジに中継装置が接続されて中継装置から料理データを受理することが可能か否かを知ることができる。
【００５５】
請求項１０に記載の電子レンジシステムにおける接続通知手段が、中継装置の料理データ格納部に１つ以上の料理データが既に格納されているか否かを通知する情報既格納通知手段を有する。
【００５６】
請求項１０によれば情報既格納通知手段により電子レンジに中継装置が接続されて料理データ格納部に１つ以上の料理データが既に格納されているか否かが電子レンジの表示部を介して通知される。したがって、ユーザは、電子レンジの表示部を見るだけで電子レンジに中継装置が接続されて中継装置から料理データを受理することが可能か否かを知ることができる。
【００５７】
請求項１１に記載の電子レンジシステムにおける中継装置は表示手段をさらに有する。そして、表示手段には料理データ格納部における料理データの格納状態を示す情報が表示される。
【００５８】
請求項１１によれば中継装置の表示手段にて料理データ格納部における料理データの格納状態が示される。したがって、ユーザは中継装置の表示手段にて料理データ格納部に料理データが格納されているか、または格納されている所望料理データの料理名を確認できる。
【００５９】
請求項１２に記載の電子レンジシステムにおける電子レンジは外部操作されてデータを入力するための第１入力部と、第１入力部が操作されて料理データ格納部中の所望される料理データの削除を指示する削除指示が入力されたことに応答して、中継装置に所望される料理データの削除を指示する第１削除指示手段とをさらに有する。そして、中継装置は、第１削除指示手段により指示された料理データを料理データ格納部から削除する第１削除手段をさらに有する。
【００６０】
請求項１２によれば、第１入力部から削除指示が入力されると、第１削除指示手段および第１削除手段により削除指示にて示される所望される料理データが料理データ格納部から削除される。
【００６１】
したがって、ユーザは電子レンジの第１入力部を操作して削除指示を入力するだけで、中継装置の料理データ格納部から不要な料理データを削除できる。それゆえにユーザは所望に応じて料理データ格納部の空き領域に所望する新たな料理データを格納することにより料理データ格納部の内容を容易に更新できる。
【００６２】
請求項１３に記載の電子レンジシステムにおける中継装置は外部操作されてデータを入力するための第２入力部と、第２入力部が操作されて料理データ格納部中の所望される料理データの削除を指示する削除指示が入力されたことに応答して、削除が指示された料理データを料理データ格納部から削除する第２削除手段とをさらに有する。
【００６３】
請求項１３によれば、第２入力部から削除指示が入力されると、第２削除手段により削除指示にて示される所望される料理データが料理データ格納部から削除される。
【００６４】
したがって、ユーザは中継装置の第２入力部を操作して削除指示を入力するだけで、中継装置の料理データ格納部から不要な料理データを削除できる。それゆえにユーザは所望に応じて料理データ格納部の空き領域に所望する新たな料理データを格納することにより料理データ格納部の内容を容易に更新できる。
【００６５】
請求項１４に記載の電子レンジシステムにおける情報処理装置は外部操作されてデータを入力するための第３入力部と、第３入力部が操作されて料理データ格納部中の所望される料理データの削除を指示する削除指示が入力されたことに応答して、中継装置に所望される料理データの削除を指示する第３削除指示手段とをさらに有する。そして中継装置は、第３削除指示手段により指示された料理データを料理データ格納部から削除する第３削除手段をさらに有する。
【００６６】
請求項１４によれば、第３入力部から削除指示が入力されると、第３削除指示手段および第３削除手段により削除指示にて示される所望される料理データが料理データ格納部から削除される。
【００６７】
したがって、ユーザは情報処理装置の第３入力部を操作して削除指示を入力するだけで、中継装置の料理データ格納部から不要な料理データを削除できる。それゆえにユーザは所望に応じて料理データ格納部の空き領域に所望する新たな料理データを格納することにより料理データ格納部の内容を容易に更新できる。
【００６８】
請求項１５に記載の電子レンジシステムにおける電子レンジは、第１入力部が操作されて料理データ格納部中の所望される料理データの検索を指示する検索指示が入力されたことに応答して、中継装置に所望される料理データの検索を指示する第１検索指示手段をさらに有する。そして、中継装置は第１検索指示手段により指示された料理データを料理データ格納部において検索する第１検索手段と、第１検索手段により検索された料理データが料理データ格納部において１つ以上の料理データの先頭に位置するように１つ以上の料理データを並べ換える第１並べ換手段とをさらに有する。
【００６９】
請求項１５によれば電子レンジの第１入力部から料理データ格納部における所望料理データの検索指示が入力されると、第１検索指示手段、第１検索手段および第１並べ換手段により、料理データ格納部において１つ以上の料理データが並べ換えられて所望される料理データが１つ以上の料理データの先頭に位置するように格納される。
【００７０】
それゆえに、料理データ格納部に格納される料理データは、数が増加してもユーザが所望する料理データを料理データ格納部から速やかに読出して電子レンジに与えることができるように並べ換られるから、使用性が向上する。
【００７１】
請求項１６に記載の電子レンジシステムにおける情報処理装置は、第３入力部が操作されて料理データ格納部中の所望される料理データの検索を指示する検索指示が入力されたことに応答して、中継装置に所望される前記料理データの検索を指示する第２検索指示手段をさらに有する。そして、中継装置は第２検索指示手段により指示された料理データを料理データ格納部において検索する第２検索手段と、第２検索手段により検索された料理データが料理データ格納部において１つ以上の料理データの先頭に位置するように１つ以上の料理データを並べ換える第２並べ換手段とをさらに有する。
【００７２】
請求項１６によれば情報処理装置の第３入力部から料理データ格納部における所望データの検索指示が入力されると、第２検索指示手段、第２検索手段および第２並べ換手段により、中継装置の料理データ格納部において１つ以上の料理データが並べ換えられて所望される料理データが１つ以上の料理データの先頭に位置するように格納される。
【００７３】
それゆえに、料理データ格納部に格納される料理データは、数が増加してもユーザが所望する料理データを料理データ格納部から速やかに読出して電子レンジに与えることができるように並べ換られるから、使用性が向上する。
【００７４】
請求項１７記載の電子レンジシステムにおける中継装置は、第２入力部が操作されて料理データ格納部中の所望される料理データの検索を指示する検索指示が入力されたことに応答して、検索が指示された所望される料理データを料理データ格納部において検索する第３検索手段と、第３検索手段により検索された料理データが料理データ格納部において１つ以上の料理データの先頭に位置するように１つ以上の料理データを並べ換える第３並べ換手段とをさらに有する。
【００７５】
請求項１７によれば中継装置において、第２入力部から料理データ格納部における所望データの検索指示が入力されると、第３検索指示手段、第３検索手段および第３並べ換手段により、料理データ格納部において１つ以上の料理データが並べ換えられて所望される料理データが１つ以上の料理データの先頭に位置するように格納される。
【００７６】
それゆえに、料理データ格納部に格納される料理データは、数が増加してもユーザが所望する料理データを料理データ格納部から速やかに読出して電子レンジに与えることができるように並べ換られるから、使用性が向上する。
【００７７】
請求項１８に記載の電子レンジは、インターネットに接続されて、調理メニュー選択画面を含むホームページ画面に対応したホームページ情報が格納される情報格納部を有するホストコンピュータと、ホームページ画面の出力部を有して、インターネットを介して情報を送受信する情報処理装置と、電子レンジとを備えるシステムにおける電子レンジであって、表示部と操作部と加熱部を有し、情報処理装置から供給される供給情報中の表示データを表示部に表示し、使用者の操作部に対する操作に応じて、該供給情報中の加熱制御データを認識して該データに従って加熱部の加熱動作が制御されて、ホームページ情報には、複数の料理のそれぞれに対応して、該料理の料理名、材料および使用調理器具を含めた作り方を説明するための説明表示情報、および電子レンジに転送されて該料理を加熱調理するための加熱制御データを含む料理データと、調理メニュー選択画面に設けられて料理データをインターネットを経由して情報処理装置に転送するために操作される転送指示ボタンの表示情報とが含まれて、電子レンジには供給情報として、加熱制御データと説明表示情報に基づく表示データが供給される。
【００７８】
請求項１８によればホームページで提供される所望する料理に対応の料理データが電子レンジで直接に認識されて、すなわち料理データを認識できるようにデコードする処理が省略されて表示動作と加熱動作を速やかに制御することができる。したがって、ホームページで提供される所望料理を電子レンジにおいて速やかにかつ自動的に加熱調理できて実用性に優れる。
【００７９】
また、所望料理に関する料理名、材料および作り方を示す料理名データ、材料データおよび作り方データは電子レンジの表示部に表示される。したがって、ユーザは表示部に表示される内容を見ることで料理名を確認して、材料を準備し加熱調理のための下ごしらえを容易にできる。
【００８０】
請求項１９に記載の電子レンジにおける加熱制御データは、電子レンジの機種を示す１つ以上の機種コードと、１つ以上の機種コードのそれぞれに対応して機種コードで示される電子レンジの加熱動作を制御するための第１加熱制御データとを含む。そして、加熱部は、加熱制御データにおける該電子レンジの機種を示す機種コードに対応する第１加熱制御データに従って加熱動作が制御される第１加熱部を有する。
【００８１】
請求項１９によれば電子レンジでは与えられる加熱制御データ中の１つ以上の第１加熱制御データのうち該電子レンジの機種に対応する第１加熱制御データに従って加熱調理のための加熱動作が制御される。したがって、電子レンジの機種に適した加熱制御データに従い加熱動作を制御できるから電子レンジの機種の違いによる調理の仕上がり具合や調理に要する時間の最適化ができて実用性に優れる。
【００８２】
請求項２０に記載の電子レンジは、赤外線を用いて転送される料理データを受信するデータ受信部をさらに備える。
【００８３】
請求項２０によれば電子レンジにはインターネットを介して供給される料理データは赤外線を用いた無線通信により転送される。したがって、電子レンジの配置は赤外線が到達しうる範囲内であれば良く電子レンジの配置の自由度が高まる。
【００８４】
請求項２１に記載の電子レンジは、記録媒体を用いて転送される料理データを受信するデータ受信部をさらに備える。
【００８５】
請求項２１によれば電子レンジには記憶媒体を用いてインターネットを介して供給された料理データが転送される。したがって、電子レンジの配置の仕方に制限はなく電子レンジの配置の自由度が高まる。
【００８８】
請求項２２に記載の中継装置は、インターネットに接続されて、調理メニュー選択画面を含むホームページ画面に対応したホームページ情報が格納される情報格納部を有するホストコンピュータにより提供されるホームページ画面の出力部を有して、インターネットを介して情報を送受信する情報処理装置と電子レンジとの通信を中継する中継装置であって、電子レンジは、表示部と操作部とを有し、情報処理装置から供給される供給情報中の表示データを表示部に表示し、使用者の前記操作部に対する操作に応じて、該供給情報中の加熱制御データを認識して該データに従って加熱動作し、ホームページ情報には、複数の料理のそれぞれに対応して、該料理の料理名、材料および使用調理器具を含めた作り方を説明するための説明表示情報、および電子レンジに転送されて該料理を加熱調理するための加熱制御データを含む料理データと、調理メニュー選択画面に設けられて料理データをインターネットを経由して情報処理装置に転送するために操作される転送指示ボタンの表示情報とが含まれて、中継装置は、情報処理装置から、料理データを受信する料理データ受信手段と、料理データ受信手段により受信された１つ以上の料理データが格納される料理データ格納手段と、所望される料理データを指定する指定データを電子レンジから受信した時、料理データ格納手段から指定データで指定された料理データを読出して、読出した料理データのうちの加熱制御データと説明表示情報に基づく表示データを電子レンジに送信する料理データ送信手段とを備える。
【００８９】
請求項２２によれば、中継装置ではホームページで提供される所望する料理に対応の加熱制御データを含む料理データはインターネットおよび情報処理装置経由で受理されて、料理データ格納手段に格納されて、該料理データの加熱制御データは電子レンジに送信される。そして、料理データは電子レンジにおいて直接に認識されるから、すなわち認識可能とするためのデコード処理が省略されるから、ホームページで提供される所望料理が電子レンジにおいて速やかにかつ自動的に加熱調理できて実用性に優れる。
【００９０】
請求項２３に記載の中継装置における料理データには、対応する料理の料理名が含まれ、指定データは料理名である。そして、料理データ格納手段中の料理データに含まれる料理名をすべて読出して電子レンジに送信する全料理名送信手段をさらに備える。
【００９１】
請求項２３によれば全料理名送信手段により料理データ格納手段に格納されている料理データのそれぞれに対応の料理名が全て電子レンジに送信される。したがって、ユーザは電子レンジに送信された全料理名を確認して所望する料理データを容易に指定できて使用性に優れる。
【００９２】
請求項２４に記載の情報処理装置はインターネットに接続されて、調理メニュー選択画面を含むホームページ画面に対応したホームページ情報が格納される情報格納部を有するホストコンピュータと、前記ホームページ画面の出力部を有して、前記インターネットを介して情報を送受信する情報処理装置と、電子レンジとを備えるシステムにおける情報処理装置であって、転送指示に応答して、インターネットを介して転送される１つ以上の料理のそれぞれに対応して該料理を電子レンジで加熱調理するための料理データを含むホームページ情報を受信するホームページ情報受信手段と、ホームページ情報受信手段により受信された料理データに基づくデータを電子レンジに供給するためのデータ供給手段とを有し、電子レンジは、表示部と操作部とを有し、情報処理装置から供給される供給データ中の表示データを表示部に表示し、使用者の操作部に対する操作に応じて、該供給データ中の加熱制御データを認識して該加熱制御データに従って加熱動作し、ホームページ情報には、複数の料理のそれぞれに対応して、該料理の料理名、材料および使用調理器具を含めた作り方を説明するための説明表示情報、および電子レンジに転送されて該料理を加熱調理するための加熱制御データを含む料理データと、調理メニュー選択画面に設けられて料理データをインターネットを経由して情報処理装置に転送するために操作される転送指示のボタンの表示情報とが含まれて、データ供給手段により電子レンジに供給されるものは加熱制御データと説明表示情報に基づく前記表示データである。
【００９３】
請求項２４によればユーザはホームページ画面で出力される転送指示ボタンを操作するだけでホームページで提供される所望する料理に対応の加熱制御データをインターネット経由で電子レンジに与えて直接に認識させて、すなわち加熱制御データを電子レンジにより認識できるようにデコードする処理が省略されて加熱動作を速やかに制御させることができる。したがって、所望料理が電子レンジにおいて速やかにかつ自動的に加熱調理されて実用性に優れる。
【００９４】
請求項２５に記載の情報処理装置におけるデータ供給手段は赤外線の通信を用いて料理データを電子レンジに供給する。
【００９５】
請求項２５によれば情報処理装置は電子レンジと赤外線を用いた無線通信を行う。したがって、電子レンジと情報処理装置の相互の配置は赤外線が到達しうる範囲内であれば良く電子レンジと情報処理装置の配置の自由度が高まる。
【００９６】
請求項２６に記載の情報処理装置におけるデータ供給手段は記憶媒体を用いて料理データを電子レンジに供給する。
【００９７】
請求項２６によれば、情報処理装置は電子レンジと記憶媒体を用いて通信を行う。したがって、電子レンジと情報処理装置相互の配置の仕方に制限はなく電子レンジと情報処理装置の配置の自由度が高まる。
【００９８】
請求項２７に記載の情報処理装置において、データ供給手段は、電子レンジと通信するためのレンジ側コネクタ部を有し、電子レンジは、情報処理装置と通信するための装置側コネクタ部を有する。そして、装置側コネクタ部に、レンジ側コネクタ部が挿入されて、料理データが情報処理装置から電子レンジに供給される。
【００９９】
請求項２７によれば、情報処理装置と電子レンジとは、装置側コネクタ部がレンジ側コネクタ部に挿入されることにより、通信可能な状態となる。したがって、電子レンジと情報処理装置相互の配置の仕方に制限はなく電子レンジと情報処理装置の配置の自由度が高まる。また。電子レンジと情報処理装置間に通信のための配線は不要であるから、使い勝手に優れる。
【０１００】
前述の情報処理装置は、携帯可能なものであっても良い。
請求項２８に記載のホストコンピュータはインターネットに接続されて、ホームページ画面に対応したホームページ情報が格納される情報格納部を有するホストコンピュータと、ホームページ画面の出力部を有して、インターネットを介して情報を送受信する情報処理装置と、電子レンジとを備えるシステムにおけるホストコンピュータであって、ホームページ画面は調理メニュー選択画面を含み、電子レンジは、表示部と操作部とを有し、情報処理装置から供給される供給情報中の表示データを表示部に表示し、使用者の操作部に対する操作に応じて、該供給情報中の加熱制御データを認識して該加熱制御データに従って加熱動作し、情報格納部の前記ホームページ情報には、複数の料理のそれぞれに対応して、該料理の料理名、材料および使用調理器具を含めた作り方を説明するための説明表示情報、および電子レンジに転送されて該料理を加熱調理するための加熱制御データを含む料理データと、調理メニュー選択画面に設けられて料理データをインターネットを経由して情報処理装置に転送するために操作される転送指示ボタンの表示情報とが含まれて、供給情報として電子レンジに供給されるものは、加熱制御データと説明表示情報に基づく表示データである。
【０１０１】
請求項２８によればユーザはホームページ画面で出力される転送指示ボタンを操作するだけでホームページで提供される所望する料理に対応の加熱制御データをインターネット経由で電子レンジに与えて直接に認識させて、すなわち加熱制御データを電子レンジにより認識できるようにデコードする処理が省略されて加熱動作を速やかに制御させることができる。したがって、所望料理が電子レンジにおいて速やかにかつ自動的に加熱調理されて実用性に優れる。
【０１０２】
また、電子レンジにて認識される料理データがホームページ画面に表示されて画面が見づらくなったり、ユーザにとって不要な情報がホームページ画面に表示されて必要とされる情報の視認性が低下することも回避される。
【０１１３】
【発明の実施の形態】
以下、この発明の実施の形態について説明する。
【０１１４】
（実施の形態１）
図１は、この発明の実施の形態１による電子レンジシステムの概略構成図である。図２は、図１の各部のブロック構成を示す図である。
【０１１５】
図１において電子レンジシステムは宅外にはインターネット５とこれに接続されたホストコンピュータ４が設けられ、宅内には電子レンジ１、インターネット５にモデム６を介して接続されるパソコン（パーソナルコンピュータの略）２、およびパソコン２と電子レンジ１との間の信号を変換しながら通信を中継して両者を接続するための中継装置でありＡＣアダプタ８から電源供給される中継ＢＯＸ３が設けられる。宅内において電子レンジ１と中継ＢＯＸ３とは３線ケーブル９を介して接続される。この接続時には、図示されるように３線ケーブル９の一端にあるコネクタＣＮが電子レンジ１の図示されない入出力端子に接続される。また、宅内においてパソコン２と中継ＢＯＸ３とはＲＳ−２３２Ｃに従って通信するためにＲＳ−２３２Ｃケーブル７を介して接続される。
【０１１６】
宅外のホストコンピュータ４にはインターネット５を介してアクセスされる各種のホームページに関する情報が登録される。ホストコンピュータ４は該ホストコンピュータ４自体を集中的に制御および管理するための処理部４１、ホームページの画面を構成するための情報（以下、ホームページ情報という）を含む情報が格納されるメモリ領域であるホームページ格納部４２１を有するメモリ４２、入力部４３、出力部４４およびインターネット５と該ホストコンピュータ４とを通信接続するための通信部４５を含む。
【０１１７】
図２において電子レンジ１は制御部１０Ａと加熱部１０Ｂとを含む。制御部１０Ａはマイコン１０、メモリ１１、表示部であるＬＣＤ（液晶ディスプレイ）パネル１３、ＬＣＤパネル１３を駆動するためのＬＣＤドライバ１２、コネクタＣＮが接続される入出力端子を含むＩ／Ｆ（インタフェースの略）部１４、外部操作可能な入力部１５および該電子レンジ１の各部に電源供給するための電源回路１６を含む。入力部１５とＬＣＤパネル１３とは一体的に設けられてタッチパネルを構成する。
【０１１８】
加熱部１０Ｂは、マイコン１０の制御に従いメモリ１１に格納された後述する加熱データを含む各種の情報に従う加熱調理のための加熱動作をする。加熱動作のために加熱部１０Ｂはセンサ部６０、ブザー６１、リレー等６２、リレー等６２を介してマイコン１０により制御されるターンテーブルモータ６３、ヒータ６４および加熱のためのマイクロ波を発生するマグネトロン６５を含む。なお、ここでは加熱部１０Ｂにおける加熱動作は公知の技術に従うので詳細説明は省略する。
【０１１９】
パソコン２は、ＣＰＵ２０、後述の専用プログラムＰＲＯを含む情報が格納されるメモリ２１、表示部２２、出力部２３、外部操作可能な入力部２４、ＲＳ−２３２Ｃケーブル７とＣＰＵ２０とを接続するためのＲＳ−２３２Ｃポート２５およびモデム６とＣＰＵ２０とを接続するためのＩ／Ｆ部２６を含む。
【０１２０】
中継ＢＯＸ３は、マイコン３０、不揮発性格納素子であるフラッシュメモリ３１、ＲＳ−２３２Ｃケーブル７とマイコン３０とを接続するための送受信部３２、３線ケーブル９とマイコン３０とを接続するためのＩ／Ｆ部３３および各部に電源供給するための電源回路３４を含む。
【０１２１】
なお、３線ケーブル９を介しての通信には、ＵＡＲＴ（Universal Asynchronous Receiver Transmitterの略）が採用される。
【０１２２】
ここで、ホームページのサーバであるホストコンピュータ４の中でインターネット５を介して公開される料理情報を用いて宅内の電子レンジ１にて調理する手順を以下に説明する。
【０１２３】
図３、図４および図５は、図１のホストコンピュータ４のホームページ格納部４２１に格納されるホームページ情報に従って表示されるホームページ画面の例を示す図である。図３、図４および図５には、本出願人がインターネットを介して提供しているホームページの画面例が示されている。ユーザによりパソコン２が操作されて、インターネット５を介してホストコンピュータに対応の所定アドレスがアクセスされると、図３のホームページ画面がパソコン２の出力部２３に表示されて、図３のホームページ画面の矢印Ａで示される項目「電子レンジ」をユーザが入力部２４によりクリックすることにより、次に図４に示されるホームページ画面が示される。図４のホームページ画面には、６月の毎日についての料理メニューがカレンダー形式で示されている。ここでは、一例として「６月のメニューカレンダー」のタイトルを有するホームページ画面が示されているが、次画面、または前画面が指定されることによりたとえば１年分についての毎月のメニューカレンダーがホームページ画面にて示される。
【０１２４】
次に、ユーザが図４のホームページ画面の矢印Ａで示される料理をクリックして指定すると、次に図５のホームページ画面が表示されて、指定された料理の仕上がり状態を示す映像、材料の情報、作り方の情報などが表示される。ここでは、図５のホームページ画面例のみを示しているが、予め準備された、たとえば図４のホームページ画面で示される１年分の各料理について上述した図４のホームページ画面のためのホームページ情報がホームページ格納部４２１に予め準備されている。
【０１２５】
そして、ユーザが図５のホームページ画面を見て、矢印Ａの項目「調理データのダウンロード」を指定してクリックすると、応じてホストコンピュータ４からインターネット５を介して図５に示される料理に関して電子レンジ１を介してユーザに表示すべきデータと電子レンジ１の加熱部１０Ｂを用いて加熱調理するために用いられる加熱データがパソコン２にダウンロードされる。
【０１２６】
なお、パソコン２のメモリ２１には、矢印Ａの項目のクリックに応じた機能を有効とするための専用プログラムＰＲＯが予めインストールされている。
【０１２７】
図６は、この発明の実施の形態によるホームページ作成時の料理についての料理情報の作成手順の概略フローチャートである。
【０１２８】
図７は図６の料理情報の作成手順に従って作成された材料データを模式的に示す図である。
【０１２９】
図８は、図６の料理情報作成手順に従って作成された作り方データを模式的に示す図である。
【０１３０】
ホームページの提供者は、ホストコンピュータ４において図３〜図５のホームページ画面に対応のホームページ情報を所定プログラムを用いて作成して後述するように形式変換してホームページ格納部４２１に格納する。この詳細は周知技術であり説明は省略される。
【０１３１】
そして、図６の手順に従い各料理について料理情報が作成される。ここでは、図４の矢印Ａで示される料理「豆腐バーグ」を例示して説明する。
【０１３２】
まず、ホームページの提供者はホストコンピュータ４の入力部４３を操作して表示データを作成し後述するように形式変換してホームページ格納部４２１に格納する（図６のＴ１）。詳細にはホームページ提供者は各料理について図７に示されるように材料を示す材料データＩＤｉを作成して、次に図８の作り方を示す作り方データＪＤｉを作成し、これらデータを形式変換してホームページ格納部４２１に格納する。
【０１３３】
次に、料理を加熱調理するための電子レンジ１の加熱動作の制御に関するデータを示す加熱データＫＤｉを作成して形式変換してホームページ格納部４２１に格納する（図６のＴ２）。これら作成されたデータはホームページ格納部４２１に、各料理ごとに格納される。
【０１３４】
なお、図９の加熱データＫＤｉのそれぞれは図８の作り方項目Ｈ１〜Ｈ３”加熱スタート”のそれぞれに対応して設けられて、電子レンジ１の動作モード（レンジモードまたはオーブンモード）を示すモードデータＤ１、モードデータＤ１で示される動作モード時の電子レンジ１の出力レベル（単位：Ｗ）を示す出力レベルデータＤ２、加熱の設定温度（単位：℃）を示す温度データＤ３および加熱に要する時間を示す時間データ（単位：分と秒）からなる。
【０１３５】
図１０は、図６で作成された各料理についての料理情報を含むホームページ情報を示す図である。なお、図示されるホームページ情報ＨＭＤは図５のホームページ画面に対応の情報であり、ホームページ画面にて表示されてホームページ画面を構成するための画面データＤＳ１５と電子レンジ１にて表示される表示データＤＳ１３および電子レンジ１の加熱動作を制御するための加熱データＤＳ１４からなる料理情報とからなる。
【０１３６】
画面データＤＳ１５は、図５のホームページ画面にてユーザに対して表示される画面を構成するデータであり、矢印Ａで示される項目“調理データのダウンロード”は図１０のデータＤＳ１５中の転送ボタンＢ１に対応する。
【０１３７】
したがって、ユーザにより図５の矢印Ａの項目“調理データのダウンロード”が指定されてクリックされると図１０の転送ボタンＢ１がクリックされてホストコンピュータ４の処理部４１は、対応する表示データＤＳ１３および加熱データＤＳ１４からなる料理情報ＭＩを通信部４５とインターネット５を介してパソコン２にダウンロードする。
【０１３８】
図１０で示される料理情報ＭＩはパソコン２の表示部２２で表示されるホームページ画面では見えない（表示されない）、いわゆる隠し情報であって、対応する料理の料理名ＭＮと図７〜図９の手順に従って作成された材料データＩＤｉと作り方データＪＤｉとを含む。
【０１３９】
図１１は、図１０に示された料理情報ＭＩを形式変換して得られるデータリストを示す図である。
【０１４０】
図６の処理Ｔ１とＴ２の処理では図１０の表示データＤＳ１３と加熱データＤＳ１４のそれぞれは、ホストコンピュータ４の処理部４１にて図１１に示されるようにして電子レンジ１のマイコン１０が認識可能な形式のデータに変換されてホームページ格納部４２１に格納されている。
【０１４１】
図１１のデータはインターネット５を介してパソコン２にダウンロードされる場合には、処理部４１によりさらに特定のコードに変換される。処理部４１はインターネット５を介してホームページ情報ＨＭＤがアクセスされると（図６のＴ３）、転送ボタンＢ１がクリックされてダウンロード要求されていないか判定し（図６のＴ４）、クリックされた場合はアクセスされたホームページ情報ＨＭＤに対応の料理情報ＭＩがパソコン２にダウンロードされる（Ｔ５）。
【０１４２】
図１２は、図１のパソコン２におけるメニュー情報のダウンロードに関する操作概要を示すフローチャートである。図において宅内のユーザはパソコン２の入力部２４を操作してインターネット５を介してホームページのホストコンピュータ４をアクセスするので（図１２のＦ１）ホストコンピュータ４のホームページ格納部４２１中のホームページ情報ＨＭＤの画面データＤＳ１５を含むホームページ画面のためのデータがパソコン２に送信されて図３のホームページ画面が出力部２３に表示される（Ｆ２）。図３のホームページ画面の矢印Ａで示される項目“電子レンジ”が入力部２４によりクリックされると、画面が切換わり図４のメニューからなるホームページ画面が表示される（Ｆ３とＦ４）。
【０１４３】
次に、図４のホームページ画面で、矢印Ａが示す“豆腐バーグ”が入力部２４にてクリックされると画面が切換わり、図５に示す“豆腐バーグ”の料理画面が示される（Ｆ５とＦ６）。
【０１４４】
次に、ユーザが図５の矢印Ａが指示する項目“調理データのダウンロード”を入力部２４にてクリックするとホストコンピュータ４中のホームページ格納部４２１における対応する図１１の表示および加熱データＤＳ１３とＤＳ１４からなる料理情報ＭＩはパソコン２に送信され、メモリ２１に一旦格納される（Ｆ８、Ｆ９）。
【０１４５】
各料理画面に、“調理情報のダウンロード”を指定するために操作されるボタンを設けて表示データＤＳ１３および加熱データＤＳ１４からなる料理情報ＭＩのパソコン２への送信を可能にする。
【０１４６】
パソコン２のメモリ２１には、購入した中継ＢＯＸ３に付属のフレキシブルディスクから専用プログラムＰＲＯをインストールすることによりホームページ画面の転送ボタンＢ１が操作されたことによる機能が有効となる。専用プログラムＰＲＯはダウンロードする料理情報ＭＩの指定とダウンロードされた料理情報ＭＩの格納先の指定を自動的に行なって、転送ボタンＢ１を１回クリックするだけで料理情報ＭＩをダウンロードする機能を有するとともに、パソコン２に一旦格納された料理情報ＭＩを中継ＢＯＸ３に送信する機能を有する。
【０１４７】
専用プログラムＰＲＯのメモリ２１へのインストールは、中継ＢＯＸ３に付属のフレキシブルディスクをフレキシブルディスクドライバに挿入して行なう方法と、制御プログラムＰＲＯをホームページに掲載し、中継ＢＯＸ３の購入者に与えられる識別番号（ＩＤ番号）が入力部２４を介して入力されることでユーザがパソコン２にダウンロードしてインストールする方法が一般的で好ましい。
【０１４８】
パソコン２と電子レンジ１の通信方式は一般的なものが必要とされるので、安定した双方向通信を行なうために規格化されているＲＳ−２３２Ｃ方式がここでは採用されている。
【０１４９】
図１３は図１の中継ＢＯＸ３の動作の概略を示すフローチャートである。
パソコン２側において前述したようにして料理情報ＭＩのダウンロード要求が生じるとパソコン２側から中継ＢＯＸ３に通信要求が送信されてパソコン２からＲＳ−２３２Ｃ方式に従って表示および加熱データＤＳ１３およびＤＳ１４からなる料理情報ＭＩが送信されて、中継ＢＯＸ３の送受信部３２およびマイコン３０を介してフラッシュメモリ３１に格納される（図１３のＦ１０〜Ｆ１２）。その後、マイコン３０は電子レンジ１側に料理情報の格納が完了した旨の料理情報格納完了通知を送信する（Ｆ１２１）。
【０１５０】
なお、フラッシュメモリ３１には、複数の料理についての料理情報ＭＩを格納することができる。
【０１５１】
電子レンジ１のマイコン１０からの要求により、中継ＢＯＸ３のマイコン３０はフラッシュメモリ３１に格納しているすべての料理名ＭＮをケーブル９を介して電子レンジ１のマイコン１０に送信する（Ｆ１３とＦ１４）。
【０１５２】
その後、電子レンジ１のマイコン１０からの指示により、中継ＢＯＸ３内のマイコン３０はフラッシュメモリ３１に格納されている１つ以上の料理情報ＭＩの中から、指定された料理名ＭＮに対応する表示および加熱データＤＳ１３およびＤＳ１４を電子レンジ１のマイコン１０に送信する（Ｆ１６）。
【０１５３】
図１４は、図１の電子レンジの動作の概略を示すフローチャートである。図１５（Ａ）〜（Ｄ）は、図１４のフローチャートにおける電子レンジ側の表示画面例を説明する図である。図１６は、図１４のフローチャートにおける中継ＢＯＸ側のフラッシュメモリ３１の格納内容例を示す図である。
【０１５４】
図１５（Ａ）〜（Ｄ）では、図２の入力部１５とＬＣＤパネル１３とが一体的に構成されてなるタッチパネルの表示画面例が示されている。電子レンジ１ではインターネット５とパソコン１および中継ＢＯＸ３を介してホームページのホストコンピュータ４から料理情報ＭＩを受信して表示するために、図１５（Ｂ）で示されるインターネットキー１７４が操作される。図１５（Ｄ）には、受信された料理名ＭＮ、材料データＩＤｉおよび作り方データＪＤｉが表示される料理名表示領域１７５、材料表示領域１７６および作り方表示領域１７７が示されるとともに、受信された加熱データＫＤｉに従って電子レンジ１にて加熱調理を開始させるために操作されるスタートキー１７３を含む。
【０１５５】
フラッシュメモリ３１には、たとえば最大５つの料理情報ＭＩが格納可能であり、図１６ではインターネット５とパソコン２を介してホームページのホストコンピュータ４から受理した５つの料理情報ＭＩが予め格納されている。各料理情報ＭＩは、料理名ＭＮｉ（ｉは１、２，３、・・・）、材料データＩＤｉ、作り方データＪＤｉおよび加熱データＫＤｉからなる。
【０１５６】
図１４の電子レンジ１の動作を図１５（Ａ）〜（Ｄ）と図１６を参照して説明する。なお、中継ＢＯＸ３のフラッシュメモリ３１には図１６の内容が予め格納されていると想定する。
【０１５７】
まず、ユーザにより電子レンジ１の電源回路１６に関連の図示されない電源スイッチが操作されて電子レンジ１に対して電源供給されると、図１５（Ａ）の画面がＬＣＤパネル１３に表示される（Ｆ１６１）。電源供給されると、電子レンジ１で予め標準で設定された複数の料理を加熱調理できる。ここでは、図１５（Ａ）に示されるようにクッキー、ケーキ、ロールパンなどの料理が予め標準で設定されている。これら各料理に対応して、あらかじめ電子レンジ１に設定された加熱調理のための情報に従い加熱部１０Ｂにて、これら料理を加熱調理できる。
【０１５８】
次に、ユーザが図１のコネクタＣＮを電子レンジ１の図示されない入出力端子に接続して中継ＢＯＸ３が電子レンジ１に接続される。このとき、前述したようにフラッシュメモリ３１に図１６で示されるような１つ以上の料理情報ＭＩが格納されていることに応じて、中継ＢＯＸ３のマイコン３０から料理情報格納完了通知１００がケーブル９を介して電子レンジ１のマイコン１０に送信される。マイコン１０は、料理情報格納完了通知を受信して、図１５（Ｂ）に示されるように、インターネットキー１７４が反転表示などされてその表示態様が変更される。ユーザはインターネットキー１７４の表示態様が変更されていることに応じて、中継ＢＯＸ３のフラッシュメモリ３１に既に料理情報ＭＩが格納完了している旨を知ることができる（Ｆ１６３）。
【０１５９】
ユーザは、中継ＢＯＸ３のフラッシュメモリ３１に既に料理情報ＭＩが格納されている旨を示す図１５（Ｂ）のインターネットキー１７４の表示態様を確認して、インターネットキー１７４を操作するとマイコン１０はケーブル９を介して中継ＢＯＸ３のマイコン３０にすべての料理名ＭＮを要求する（Ｆ１７、Ｆ１８）。
【０１６０】
マイコン３０はすべての料理名ＭＮの要求に応答して図１６のフラッシュメモリ３１からすべての料理名ＭＮｉを読出して、ケーブル９を介して電子レンジ１に送信するので、電子レンジ１のマイコン１０はすべての料理名ＭＮｉを受信して、図１５（Ｃ）のようにＬＣＤパネル１３に表示する（Ｆ１９〜Ｆ２０）。
【０１６１】
図１５（Ｃ）のように表示されたすべての料理名ＭＮｉのうち、ユーザにより、たとえば矢印Ａで示される料理“中華おこわ”が操作（タッチ）されて指定されると、マイコン１０は指定された料理名ＭＮ３（“中華おこわ”）に対応の表示データＤＳ１３と加熱データＤＳ１４をケーブル９を介して中継ＢＯＸ３に要求する（Ｆ２１とＦ２２）。
【０１６２】
中継ＢＯＸ３のマイコン３０は、電子レンジ１からの料理名ＭＮ３（“中華おこわ”）に対応のデータ要求に応答して、フラッシュメモリ３１から料理名ＭＮ３（“中華おこわ”）に対応する表示データＤＳ１３（料理名ＭＮ３、材料データＩＤ３および作り方データＪＤ３）と加熱データＫＤ３を読出し送信するので、電子レンジ１のマイコン１０はこの表示データＤＳ１３と加熱データＫＤ３を受信して一旦、メモリ１１に書込み格納させる（Ｆ２２とＦ２３）。
【０１６３】
そして、マイコン１０は指定された料理の加熱調理を開始させるためのユーザの指示入力を促すために図１５（Ｄ）の画面をＬＣＤパネル１３に表示する（Ｆ２４）。図１５（Ｄ）スタートキー１７３が操作されると加熱データＫＤｉに従う加熱部１０Ｂによる加熱調理が開始される。図１５（Ｄ）には受信された表示データＤＳ１３中の料理名ＭＮ３、材料データＩＤ３および作り方データＪＤ３が料理名表示領域１７５、材料表示領域１７６および作り方表示領域１７７にそれぞれ表示される。
【０１６４】
図１７は、図１５（Ｄ）に関連する画面の表示の仕方を説明する図である。図１５の材料表示領域１７６および作り方表示領域１７７に表示される材料データＩＤｉおよび作り方データＪＤｉが多量のデータからなり領域１７６および１７７に一括して表示できないことがある。この場合には、ユーザにより表示領域１７６または１７７が操作（タッチ）されるごとに図１７に示されるようにＬＣＤディスプレイ１３の表示が更新されて多量の材料データＩＤｉおよび作り方データＪＤｉが分割されて順次表示される。材料データＩＤｉおよび作り方データＪＤｉを図１７のようにして複数画面にて表示させることで、ユーザは画面の表示更新を行ないながら材料を準備し下ごしらえすることができる。
【０１６５】
図１８（Ａ）〜（Ｃ）は、この発明の実施の形態１による中継ＢＯＸ３のフラッシュメモリ３１に料理情報が格納されていない場合の電子レンジ１側の表示画面例を示す図である。
【０１６６】
図１４のフローチャートに従う電子レンジ１の動作では、中継ＢＯＸ３のフラッシュメモリ３１に１つ以上の料理情報ＭＩが予め格納されているとしていたが、電子レンジ１に電源ＯＮされて、フラッシュメモリ３１に料理情報ＭＩが格納されていない状態で電子レンジ１の図示されない入出力端子に図１のコネクタＣＮが接続されると、中継ＢＯＸ３からは料理情報格納完了通知が送信されないから図１８（Ａ）の電源ＯＮ時の画面に続いて、図１８（Ｂ）の画面がＬＣＤパネル１３に表示される。
【０１６７】
図１８（Ｂ）の画面では、インターネットキー１７４の表示態様が反転されず、中継ＢＯＸ３のフラッシュメモリ３１に料理情報ＭＩが全く格納されていない状態であることが報知される。
【０１６８】
次に、ユーザがインターネットキー１７４を操作すると、図１８（Ｃ）の画面がＬＣＤパネル１３に表示されて、ユーザに対して料理情報ＭＩが中継ＢＯＸ３のフラッシュメモリ３１に全く格納されていないのでホームページから料理を選択するようにメッセージ表示される。このメッセージを確認したユーザは、前述した図１２の操作を行なうので、以下、図１３と図１４のフローチャートに従う処理が行なわれて、所望される料理の加熱データＫＤｉに従う電子レンジ１における加熱調理をスタートさせることができる。
【０１６９】
図１９は、この発明の実施の形態１による電子レンジ１からの指示入力により中継ＢＯＸ３のメモリに格納されている料理情報を他の料理情報に入換える手順を示すフローチャートである。
【０１７０】
図２０（Ａ）〜（Ｃ）は図１９のフローチャートに従う中継ＢＯＸ３のメモリの内容の変化を示す図である。
【０１７１】
図２１（Ａ）〜（Ｆ）は、図１９のフローチャートに従う電子レンジ１における表示画面の変化を示す図である。
【０１７２】
図１９のフローチャートに従い、中継ＢＯＸ３のフラッシュメモリ３１に格納される料理情報を他の料理情報に入換える手順を図２０（Ａ）〜（Ｃ）と図２１（Ａ）〜（Ｆ）とを参照して説明する。
【０１７３】
なお、フラッシュメモリ３１には図２０（Ａ）に示されるように５つの料理情報ＭＩが予め格納されていると想定する。
【０１７４】
まず、ユーザは図１４で説明したようにして電子レンジ１を操作するので、電子レンジ１のＬＣＤパネル１３には中継ＢＯＸ３から受信したデータに基づいて図２１（Ａ）〜（Ｃ）の画面が準じ切替え表示される（図１９のＦ１６１〜Ｆ２４およびＦ３０〜Ｆ３２）。
【０１７５】
図２１（Ｃ）の画面では、消去キー１７８が示される。図２１（Ｃ）の画面でユーザにより消去キー１７８が操作されると（Ｆ２５）、図２１（Ｄ）の画面が表示されて、料理名表示領域１７５に表示されている料理名ＭＮ３（“中華おこわ”）に対応のフラッシュメモリ３１の料理情報ＭＩを消去するか否かの問合せメッセージが表示されて、ここで消去キー１７９が押下されると、図２１（Ｅ）の画面が表示される（Ｆ２６）。図２１（Ｅ）の画面は図２１（Ｂ）の画面において料理名ＭＮ３（“中華おこわ”）が消去された状態の画面である。
【０１７６】
次に、電子レンジ１のマイコン１０は料理名ＭＮ３（“中華おこわ”）に対応に対応する料理情報ＭＩを消去する要求をケーブル９を介して中継ＢＯＸ３のマイコン３０に与える。マイコン３０は料理情報の消去要求を受信して、応じてフラッシュメモリ３１中の対応する料理情報ＭＩを消去する（Ｆ２７、Ｆ３３）。
【０１７７】
これにより、フラッシュメモリ３１は図２０（Ａ）の内容から図２０（Ｂ）の内容に変化する。
【０１７８】
次に、ユーザはパソコン２の入力部２４を操作して、図１２で示された手順に従ってホームページから新しい料理、たとえば料理名ＭＮが“ポテトサラダ”である料理を指定して（Ｆ３６）、ＣＰＵ２０は新しい料理に対応の料理情報ＭＩをホームページのホストコンピュータ４からインターネット５を介して受信して、一旦メモリ２１に格納する（Ｆ３７）。その後、受信した料理情報ＭＩをＲＳ−２３２Ｃケーブル７を介して中継ＢＯＸ３に送信する（Ｆ３８）。
【０１７９】
中継ＢＯＸ３のマイコン３０では、パソコン２から送信された料理名ＭＮ（“ポテトサラダ”）に対応の新しい料理情報ＭＩを受信して図２０（Ｂ）の空き領域に格納する。これによりフラッシュメモリ３１の内容は図２０（Ｂ）から図２０（Ｃ）の状態に変化する。なお、マイコン３０はフラッシュメモリ３１において新たに格納された料理情報ＭＩを特定するためにポインタＰＮＴを用いて該料理情報ＭＩを指示するよう処理する。
【０１８０】
次に、ユーザにより電子レンジ１が操作されるとき図２１（Ａ）のインターネットキー１７４が操作される（Ｆ２８）。マイコン１０は消去キー１７８および１７９を用いて料理情報ＭＩの消去が行なわれていることを認識しているので、インターネットキー１７４の操作に応じてケーブル９を介して中継ＢＯＸ３に新しい料理名を要求する（Ｆ２９）。この要求に応じて中継ＢＯＸ３のマイコン３０はフラッシュメモリ３１のポインタＰＮＴで示される料理情報ＭＩの料理名ＭＮ３（“ポテトサラダ”）を読出して電子レンジ１のマイコン１０に送信する（Ｆ３５）。
【０１８１】
電子レンジ１のマイコン１０は料理名ＭＮ３（“ポテトサラダ”）を受信して、一旦、メモリ１１に格納するとともに、図２１（Ｆ）に示されるように新しい料理名ＭＮ３を含むすべての料理名ＭＮｉを表示する（Ｆ２９）。
【０１８２】
なお、本実施の形態１ではユーザに対して常にホームページから最新の情報をダウンロードさせるのを促すことを目的として、中継ＢＯＸ３のフラッシュメモリ３１に格納可能な料理情報ＭＩは最大５件としているが、料理情報の格納件数は５件に限定されない。
【０１８３】
このようにホストコンピュータ４においてホームページに紹介される料理を宅内の電子レンジ１の加熱部１０Ｂを用いて加熱調理しようとした場合、加熱調理のための電子レンジ１に対する各種データ設定動作が不要となってユーザにとって利便性が向上する。
【０１８４】
（実施の形態２）
次に実施の形態２について説明する。図２２は、この発明の実施の形態２による電子レンジシステムの概略構成図である。図２３は、図２２の電子レンジ１Ａとパソコン２Ａとのブロック構成を示す図である。図２２では、電子レンジ１Ａとパソコン２Ａのそれぞれは、両者間にＩｒＤＡ（Infrared Data Associationの略）による無線通信を行なうために赤外線受発光部６６と２７を備える。図２３の電子レンジ１Ａとパソコン２Ａのそれぞれと図２の電子レンジ１とパソコン２のそれぞれとを比較し異なる点は電子レンジ１Ａが図２のＩ／Ｆ部１４に代替して赤外線受発光部６６に関連のＩｒＤＡＩ／Ｆ部１４１を設けパソコン２Ａが図２のＲＳ−２３２Ｃポート２５に代替して赤外線受発光部２７に関連のＩｒＤＡＩ／Ｆ部２５１を設けた点にある。電子レンジ１Ａとパソコン２Ａのその他の構成は図２のそれらと同様であり説明を省略する。
【０１８５】
上述した実施の形態１では、中継ＢＯＸ３を介してケーブルを用いて電子レンジ１とパソコン２とが通信接続されていたが、本実施の形態２では図２２と図２３に示されるようにケーブルを用いた通信に代替して赤外線を用いた通信たとえばＩｒＤＡを用いた無線通信が行なわれるので、電子レンジシステムにおいてケーブル配線の手間が省略されてシステムを容易に敷設することができる。
【０１８６】
（実施の形態３）
次に実施の形態３について説明する。図２４は、この発明の実施の形態３による電子レンジシステムの概略構成図である。図２５は、図２４の電子レンジ１Ｂとパソコン２Ｂとのブロック構成を示す図である。
【０１８７】
図２４では、電子レンジ１Ｂとパソコン２Ｂのそれぞれは、カード形状のＲＡＭ（以下、ＲＡＭカード８０と呼ぶ）を介して両者間にてデータの転送を行なうためのＲＡＭカード８０が差込まれるカードスロットインタフェースであるＲＡＭカード差込口６７と２８を備える。
【０１８８】
図２５の電子レンジ１Ｂとパソコン２Ｂのそれぞれと、図２の電子レンジ１とパソコン２のそれぞれとを比較し異なる点は、電子レンジ１Ｂが図２のＩ／Ｆ部１４に代替してＲＡＭカード差込口６７から差込まれたＲＡＭカード８０のデータをマイコン１０の制御の下にアクセスするためのＲＡＭカードＩ／Ｆ部１４２を設け、パソコン２Ｂが図２のＲＳ−２３２Ｃポート２５に代替してＲＡＭカード差込口２８から差込まれたＲＡＭカード８０のデータをマイコン３０の制御の下にアクセスするためのＲＡＭカードＩ／Ｆ部２５２を設けた点にある。電子レンジ１Ｂとパソコン２Ｂのその他の構成は図２のそれと同様であり説明は省略される。
【０１８９】
上述した実施の形態１では、中継ＢＯＸ３を介してケーブルを用いて電子レンジ１とパソコン２とは通信接続されていたが、本実施の形態３では図２４と図２５に示されるように、ケーブルを用いた通信に代替してＲＡＭカード８０を用いたデータ転送が行なわれるので、中継ＢＯＸ３を省略して該電子レンジシステムにおけるケーブル配線の手間が省略され、システムを容易に敷設することができる。
【０１９０】
（実施の形態４）
次に実施の形態４について説明する。図２６は、この発明の実施の形態４による電子レンジシステムの概略構成図である。図２７は、図２６の電子レンジ１、中継ＢＯＸ３Ｃ、およびパソコン２Ｃのブロック構成を示す図である。
【０１９１】
図２６のシステムでは、図１のシステムにおけるＲＳ−２３２Ｃケーブル７に代替してケーブル７Ｃが設けられる。ケーブル７Ｃは中継ＢＯＸ３Ｃとパソコン２Ｃを通信接続するためのインタフェースのためのケーブルであってインタフェースとしてはＵＳＢ（Universal Serial Busの略）またはパラレルインタフェースが採用される。図６のシステムのその他の構成は図１のそれと同様である。
【０１９２】
図２７で中継ＢＯＸ３Ｃは、図２の送受信部３２に代替してＩ／Ｆ部３２Ｃを有し、パソコン２Ｃは図２のＲＳ−２３２Ｃポート２５に代替してＩ／Ｆ部２５Ｃを有する。中継ＢＯＸ３Ｃとパソコン２Ｃのその他の構成は図２のそれらと同じである。
【０１９３】
Ｉ／Ｆ部３２ＣとＩ／Ｆ部２５Ｃのそれぞれは、ケーブル７Ｃに適用されるインタフェースに対応してＵＳＢインタフェースまたはパラレルインタフェースの方式に従ってケーブル７Ｃとマイコン３０およびケーブル７ＣとＣＰＵ２０との間をそれぞれ通信接続する。
【０１９４】
本実施の形態４では、中継ＢＯＸ３Ｃとパソコン２Ｃとの間でＵＳＢやパラレルインタフェースに従ってデータ転送が行なわれるから、実施の形態１のようにＲＳ−２３２Ｃに従ってデータ転送が行なわれる場合に比較して、データを高速に転送することができる。
【０１９５】
また、図２７に示されるようにパソコン２ＣのＲＳ−２３２Ｃポート２５にケーブル７を介して図示されない他の機器が接続されて、ＲＳ−２３２Ｃポート２５が使用できないような場合には、本実施の形態４のシステム構成は特に有効である。
【０１９６】
（実施の形態５）
次に実施の形態５について説明する。
【０１９７】
実施の形態５では、図１の中継ＢＯＸ３から電子レンジ１へ料理名ＭＮｉを送信するのにかかる時間を短縮するとともに、電子レンジ１側において受信された料理名ＭＮｉを格納するのに必要なメモリ容量を小さくすることができる、料理情報ＭＩのデータ構成が示される。なお、本実施の形態５に適用される電子レンジシステムの構成および各部の構成は図１および図２に示されたものと同じなので説明は省略される。
【０１９８】
図２８は、この発明の実施の形態５における料理情報ＭＩの構成例を示す図である。図２８において料理情報ＭＩは複数のアドレスＡＤと、アドレスＡＤのそれぞれに対応して該アドレスＡＤで示される領域に格納されるデータの内容を示すデータ内容ＤＣおよびデータ内容ＤＣの容量ＣＡを含む。容量ＣＡは最大値で示される。
【０１９９】
料理情報ＭＩには図２８のデータ内容ＤＣで示されるデータコードと最終アドレスと拡張コードとを含むデータＤＣ１、料理名ＭＮＩと加熱データＫＤｉが格納される領域の先頭アドレスＤＣ２、画面ページアドレス情報の先頭／最終アドレスＤＣ３、料理名ＭＮｉ、加熱データＫＤｉ、画面ページアドレス情報ＤＣ４、材料データＩＤｉと作り方データＪＤｉを含む表示データＤＳ１３が含まれる。
【０２００】
図示されるように、料理情報ＭＩにおいて先頭から２３バイトは固定長形式のデータＤＣ１〜ＤＣ３を含んで構成され料理名ＭＮｉ以降のデータは可変長形式で構成される。したがって、料理情報ＭＩは料理によってその容量も異なるが、ここでは各料理情報ＭＩは最大２０４８バイトの容量を有する。
【０２０１】
実施の形態１で説明されたように、インターネットキー１７４が操作されると中継ＢＯＸ３ではフラッシュメモリ３１の図２８の料理情報ＭＩから料理名ＭＮｉ（３２バイト）のみ読出されて電子レンジ１に送信されるので、１料理当り図２８の料理情報ＭＩ（２０４８バイト）をすべて送信するのに比較してデータ送信に要する時間および電子レンジ１側の必要メモリ容量が１／６４に縮減される。
【０２０２】
（実施の形態６）
次に実施の形態６について説明する。図２９は、この発明の実施の形態６における電子レンジシステムの概略構成を示す図である。図２９においては図２の電子レンジ１に代替して電子レンジ１Ｄが設けられる。図２９の他の構成は図２のそれと同じであって説明は省略される。
【０２０３】
図２９の電子レンジ１Ｄは制御部１１Ｄを含む。制御部１１Ｄは図２の制御部１０Ａのメモリ１１に代替してメモリ１１１を含む。メモリ１１１には該電子レンジ１Ｄの機種を特定する機種コードＭＤが予め格納される。
【０２０４】
図３０（Ａ）と（Ｂ）は、この発明の実施の形態６における料理情報と加熱データの構成を示す図である。図３１は、この発明の実施の形態６における電子レンジ１Ｄの動作を中継ＢＯＸ３との通信動作を含んで説明するためのフローチャートである。
【０２０５】
図３０（Ａ）の料理情報ＭＩ１は図２８の料理情報ＭＩのデータＤＣ１加熱データＫＤｉに代替して、データＤＣ１１と加熱データＫＤ１ｉを含む。料理情報ＭＩ１の他の内容は図２８のそれと同じである。
【０２０６】
データＤＣ１１は、データＤＣ１の拡張コードに代替して、本実施の形態の電子レンジシステムに適用可能であって料理情報ＭＩ１に従って動作することのできる電子レンジの機種を特定するための機種コードを含む。
【０２０７】
図３０（Ｂ）には加熱データＫＤ１ｉの構成が示される。電子レンジ１Ｄの加熱部１０Ｂの性能は、電子レンジ１Ｄの機種によりマグネトロン６５によるマイクロ波の最大出力や、ヒータ６４の動作が異なる。したがって、その機種に最適化された加熱データＫＤ１ｉを使用しなければ、調理の仕上がり具合が良好でなかったり、調理時間が長くなる。そこで、本実施の形態６では機種コードＭＤを用いて電子レンジ１Ｄ側のマイコン１０で受信された加熱データＫＤ１ｉが使用可能なデータであるか否かが判断される。
【０２０８】
加熱データＫＤ１ｉは、該電子レンジシステムに適用され得る複数種類の機種コードＭＤ１と、機種コードＭＤ１のそれぞれに対応して加熱部１０Ｂにおける加熱動作を制御するためのデータＤＤを含む。
【０２０９】
次に図３１のフローチャートに従い電子レンジ１Ｄを説明する。なお、電子レンジ１Ｄの機種コードＭＤは“０１”であると想定する。
【０２１０】
まず、電子レンジ１Ｄ側でインターネットキー１７４が操作されると（Ｔ１２）、マイコン１０からキー入力を示すデータが中継ＢＯＸ３のマイコン３０に送信される（Ｔ１３）。中継ＢＯＸ３のマイコン３０は、このデータを受信し（Ｔ１４）、フラッシュメモリ３１中の料理情報ＭＩ１から料理名ＭＮｉを読出し（Ｔ１５）、マイコン１０に送信する（Ｔ１６）。このデータを受信したマイコン１０は、受信された料理名ＭＮｉをすべて表示する（Ｔ１７、Ｔ１８）。今、たとえば複数の料理名ＭＮｉが転送されて表示されたとする。
【０２１１】
ユーザは表示された複数の料理名ＭＮｉの中の１つ、たとえば“小えびのサラダ”を選択すると（Ｔ１９）、マイコン１０はそのキーが入力されたことを送信する（Ｔ２０）。中継ＢＯＸ３側のマイコン３０は、この情報を受信し（Ｔ２１）、料理名ＭＮｉが“小えびのサラダ”に対応する加熱と表示データＫＤ１ｉとＤＳ１３を料理情報ＭＩ１から読出して送信する（Ｔ２２、Ｔ２３）。
【０２１２】
電子レンジ１Ｄ側のマイコン１０は、マイコン３０から送信されたデータを受信し（Ｔ２４）、受信した加熱データＫＤ１ｉ中から電子レンジ１Ｄの機種コードＭＤ（“０１”）に対応の加熱データを検索する（Ｔ２５）。機種コードＭＤ（“０１”）に対応する加熱データＤＤがなければ、該電子レンジ１Ｄでは加熱調理できない旨を表示する（Ｔ２６）。一方、対応する加熱データＤＤがあれば、この加熱データＤＤが加熱部１０Ｂの加熱動作を制御するためのデータとして電子レンジ１Ｄ側の制御部１１Ｄに設定される。
【０２１３】
したがって、電子レンジ１Ｄの機種に最適化された加熱データを用いた加熱調理を実行することができる。
【０２１４】
（実施の形態７）
次に、実施の形態７について説明する。
【０２１５】
図３２〜図３４は、この発明の実施の形態７を説明するための画面表示例を示す図である。図３５は、この発明の実施の形態７の中継ＢＯＸ３とパソコン２における動作を説明するためのフローチャートである。
【０２１６】
実施の形態７では、図１と図２のシステム構成が適用されて、中継ＢＯＸ３がパソコン２に着脱自在に接続される。そした接続された場合にはパソコン２に表示されるホームページ画面に、通常は表示されない情報が表示されることにより、パソコン２と中継ＢＯＸ３との間でデータ転送することが可能である旨が報知されるとともに、中継ＢＯＸ３をパソコン２に接続するユーザに対してのみの情報が提供される。
【０２１７】
この動作を図３５のフローチャートに従い具体的に説明する。なお、図３２はパソコン２に中継ＢＯＸ３が接続されていない場合にパソコン２に表示される料理画面の一例であり、図３３はパソコン２に中継ＢＯＸ３が接続されている場合にパソコン２に表示される料理画面の一例である。
【０２１８】
パソコン２にてホームページのホストコンピュータ４にアクセスしてホームページ画面を表示させる場合に、パソコン２はＲＳ―２３２Ｃケーブル７を介して中継ＢＯＸ３に接続を確認するための接続確認用データＩＤ１を送信し（Ｔ１２）中継ＢＯＸ３のマイコン３０の応答を待つ。中継ＢＯＸ３のマイコン３０は、パソコン２からの接続確認用データＩＤ１を受信し（Ｔ１３）、接続を確認した旨の接続確認用データＩＤ２を送信する（Ｔ１４）。そして、パソコン２は、接続確認用データＩＤ２の受信に応じて、中継ＢＯＸ３が接続されていることを確認するので（Ｔ１５でＹＥＳ）、ホームページ画面として中継ＢＯＸ３が接続されている場合の図３３の専用の料理画面を表示する（Ｔ１６）。
【０２１９】
この図３３の専用の料理画面は、パソコン２から中継ＢＯＸ３にデータを転送することが可能であることを示すと同時に、中継ＢＯＸ３を利用するユーザに対して有効な情報を付加するものである。中継ＢＯＸ３をパソコン２に接続していないユーザに対しては図３２の料理画面が表示されるから、中継ＢＯＸ３をパソコン２に接続していないユーザが図３３の画面が表示されて混乱するのを回避できる。
【０２２０】
図３３の“調理データのダウンロード”を指定するために操作されるボタンＢ２と中継ＢＯＸ３をパソコン２に接続しているユーザに対してのみ有効な情報を提供するために操作されるボタンＢ３が表示される。ボタンＢ３をユーザがクリックすることにより図３４の画面が表示される。図３４の内容は中継ＢＯＸ３をパソコン２に接続しているユーザにのみ提供される情報の一例を示す図である。
【０２２１】
（実施の形態８）
次に実施の形態８について説明する。
【０２２２】
図３６は、この発明の実施の形態８における中継ＢＯＸ３と電子レンジ１との動作を説明するためのフローチャートである。
【０２２３】
図３７（Ａ）〜（Ｃ）は、図３６のフローチャートにおいて電子レンジ１側で表示される画面例を示す図である。
【０２２４】
実施の形態８では図１と図２に示されるシステム構成と各部の構成が適用されて、電子レンジ１に中継ＢＯＸ３が接続されている場合にのみ、電子レンジ１のＬＣＤパネル１３に中継ＢＯＸ３が電子レンジ１に接続されている旨を報知するための画面が表示される。このための動作を図３６のフローチャートを参照し説明する。なお図３７（Ａ）の画面例は電子レンジ１に中継ＢＯＸ３が接続されている場合に表示されるものを示し、図３７（Ｂ）の画面例は電子レンジ１に中継ＢＯＸ３が接続されているが中継ＢＯＸ３のフラッシュメモリ３１に料理情報ＭＩが格納されていない場合に表示されるものを示し、図３７（Ｃ）の画面例は電子レンジ１に中継ＢＯＸ３が接続されてフラッシュメモリ３１に料理情報ＭＩが格納されている場合に表示されるものを示す。
【０２２５】
まず、電子レンジ１側のマイコン１０は、電源ＯＮされると定期的（たとえば１秒毎）に中継ＢＯＸ３に対して接続されていることを確認するための接続確認用データＩＤ３を送信して（Ｔ１２）、中継ＢＯＸ３のマイコン３０の応答を待つ。マイコン３０は、接続確認用データＩＤ３を受信して（Ｔ１３）、応じて中継ＢＯＸ３が接続されている旨を示す接続確認用データＩＤ４を送信する（Ｔ１４）。電子レンジ１側のマイコン１０は接続確認用データＩＤ４を受信することで、中継ＢＯＸ３が電子レンジ１に接続されていることを確認し（Ｔ１５）、ＬＣＤパネル１３に図３７（Ｂ）および（Ｃ）のいずれかの画面が表示される（Ｔ１６）。中継ＢＯＸ３が電子レンジ１に接続されてないことが確認されると、図３７（Ａ）の画面が表示される。図３７（Ａ）の画面ではインターネットキー１７４は表示されない。
【０２２６】
図３７（Ｂ）の画面では、インターネットキー１７４の表示態様は反転されていないので、中継ＢＯＸ３のフラッシュメモリ３１に料理情報ＭＩが格納されていないことが報知される。図３７（Ｃ）の画面では、インターネットキー１７４の表示態様が反転されているので、フラッシュメモリ３１に料理情報ＭＩが格納されていることが報知される。
【０２２７】
この図３７（Ａ）〜（Ｃ）の画面は、インターネットキー１７４が表示されているか否かにより中継ＢＯＸ３が電子レンジ１に接続されているか否かを報知し、また料理名ＭＮｉの一覧とともにインターネットキー１７４が反転されて表示されているか否かにより中継ＢＯＸ３から電子レンジ１側のマイコン１０にデータを転送することが可能であるか否かを報知し、また中継ＢＯＸ３が電子レンジ１に正しく接続されて両者間で通信が正常に動作することを報知する。
【０２２８】
（実施の形態９）
次に、実施の形態９について説明する。
【０２２９】
図３８は、この発明の実施の形態９における中継ＢＯＸ３と電子レンジ１との動作を説明するためのフローチャートである。本実施の形態９では図１と図２に示されるシステム構成と各部の構成が適用される。
【０２３０】
本実施の形態９では、図２の電子レンジ１側に中継ＢＯＸ３が接続された場合にのみ、電子レンジ１側に図１５（Ｃ）で示されるように１つ以上の料理情報ＭＩによるメニュー選択のためのメニュー選択画面が表示される。この詳細について図３８のフローチャートを参照して説明する。なお中継ＢＯＸ３のフラッシュメモリ３１には予め１つ以上の料理情報ＭＩが格納されていると想定する。
【０２３１】
まず、電子レンジ１側のマイコン１０は電源ＯＮされると定期的（たとえば１秒毎）に中継ＢＯＸ３が接続されているかどうかを確認するため接続用確認データＩＤ３を送信し（Ｔ１２）、中継ＢＯＸ３のマイコン３０の応答を待つ。中継ＢＯＸ３のマイコン３０は電子レンジ１側のマイコン１０からの接続確認用データＩＤ３を受信し（Ｔ１３）、中継ＢＯＸ３が電子レンジ１に接続されている旨の接続確認用データＩＤ４とフラッシュメモリ３１に既に格納されている１つ以上の料理情報ＭＩから読出される料理名ＭＮｉとを電子レンジ１側に送信する（Ｔ１４）。
【０２３２】
電子レンジ１のマイコン１０は、接続確認用データＩＤ４を受信することにより中継ＢＯＸ３が電子レンジ１に接続されていることを確認し（Ｔ１５）同時に受信された１つ以上の料理名ＭＮｉをもとにたとえば図１５（Ｃ）に示されるようなメニュー選択画面を表示する（Ｔ１６）。
【０２３３】
本実施の形態でメニュー選択画面が表示されることにより、中継ＢＯＸ３から電子レンジ１側のマイコン１０に料理情報ＭＩに関するデータを送信することが可能であること、中継ＢＯＸ３が正しく電子レンジ１に接続されて両者間の通信が正常に動作すること、および中継ＢＯＸ３のフラッシュメモリ３１に格納されている料理名ＭＮｉを確認できるなどの効果が得られる。
【０２３４】
（実施の形態１０）
次に実施の形態１０について説明する。図３９はこの発明の実施の形態１０における中継ＢＯＸ３と電子レンジ１との動作を説明するためのフローチャートである。本実施の形態１０では図１と図２に示されるシステム構成と各部の構成が適用される。
【０２３５】
本実施の形態１０では、図２において中継ＢＯＸ３が電子レンジ１側に接続されていて、かつ中継ＢＯＸ３のフラッシュメモリ３１に１つ以上の料理情報ＭＩが格納されている場合には、電子レンジ１側に図１５（Ｃ）で示されるメニュー選択画面が表示される。この詳細について図３９のフローチャートを参照して説明する。
【０２３６】
まず、電子レンジ１側のマイコン１０は、電源ＯＮされると定期的に（たとえば１秒毎に）、中継ＢＯＸ３が接続されているかを確認するための接続確認用データＩＤ３を送信し（Ｔ１２）、中継ＢＯＸ３のマイコン３０の応答を待つ。マイコン３０は、接続確認用データＩＤ３を受信して（Ｔ１３）、該中継ＢＯＸ３が電子レンジ１に接続されている旨の接続確認用データＩＤ４とフラッシュメモリ３１に既に格納されている１つ以上の料理情報ＭＩ中のから読出された料理名ＭＮｉを電子レンジ１側に送信する（Ｔ１４）。電子レンジ１側のマイコン１０は、接続確認用データＩＤ４を受信することにより中継ＢＯＸ３が接続されていることを確認し（Ｔ１５）、また同時に受信された１つ以上の料理名ＭＮｉをもとに図１５（Ｃ）のメニュー選択画面を表示する（Ｔ１６、Ｔ１７）。
【０２３７】
本実施の形態でメニュー選択画面が表示されることにより、中継ＢＯＸ３から電子レンジ１側のマイコン１０に料理情報ＭＩに関するデータを送信することが可能であること、中継ＢＯＸ３が正しく電子レンジ１に接続されて両者間の通信が正常に動作すること、および中継ＢＯＸ３のフラッシュメモリ３１に格納されている料理名ＭＮｉを確認できるなどの効果が得られる。
【０２３８】
（実施の形態１１）
次に、実施の形態１１について説明する。
【０２３９】
図４０はこの発明の実施の形態１１による電子レンジシステムの構成を示す図である。図４１は図４０の各部の構成を示す図である。
【０２４０】
図４０の実施の形態１１のシステム構成と図１のそれとを比較して異なる点は、図４０の中継ＢＯＸ３Ｆがデータを外部表示するためのＬＥＤ（Light Emitting Diodeの略）またはＬＣＤからなるディスプレイ３５を追加して設けた点にある。その他の構成は図１のそれと同じである。
【０２４１】
図４１の各部の構成と図２の構成を比較して異なる点は、図４１の中継ＢＯＸ３Ｅがマイコン３０に接続されてディスプレイ３５に関連の表示装置３６を追加して設けた点にある。その他の構成は図２のそれと同じである。
【０２４２】
本実施の形態では図４０と図４１のようにシステムが構成されることにより、中継ＢＯＸ３Ｅのディスプレイ３５と表示装置３６を用いて中継ＢＯＸ３Ｅが電源ＯＮされていればフラッシュメモリ３１における料理情報ＭＩの格納状態または中継ＢＯＸ３の動作状態がマイコン３０の制御に従い表示される。表示される動作状態としては、たとえば電子レンジ１と通信中である、パソコン２と通信中であるなどの状態である。
【０２４３】
このように、中継ＢＯＸ３Ｅの動作状態やフラッシュメモリ３１に格納された料理情報ＭＩに関する情報が中継ＢＯＸ３Ｅにおいて表示されることにより、電子レンジ１やパソコン２に中継ＢＯＸを接続することなく中継ＢＯＸ３の動作状態やフラッシュメモリ３１に格納されている料理情報ＭＩを確認することができる。
【０２４４】
（実施の形態１２）
次に実施の形態１２について説明する。
【０２４５】
図４２は、この発明の実施の形態１２における中継ＢＯＸと電子レンジ１との動作を説明するためのフローチャートである。図４３は図４２のフローチャートにおいて電子レンジ１側で表示される画面例を示す図である。図４３は電子レンジ１側で示されるメニュー選択画面の一例であって、料理名ＭＮｉの一覧とともに、削除キー１８０が示される。削除キー１８０が外部操作されると、中継ＢＯＸ３のフラッシュメモリ３１に格納されているすべての料理情報ＭＩが削除される。本実施の形態では、図１および図２に示されたシステム構成および各部の構成が適用される。
【０２４６】
本実施の形態１２では、中継ＢＯＸ３のフラッシュメモリ３１に格納された料理情報ＭＩで示される料理名ＭＮｉの確認とフラッシュメモリ３１中の全料理情報ＭＩの削除が電子レンジ１側の入力部１５の操作により行なわれる。この詳細を図４２のフローチャートを参照して説明する。
【０２４７】
まず、電子レンジ１側のマイコン１０は電源ＯＮされると定期的に（たとえば１秒毎に）中継ＢＯＸ３に接続確認用データＩＤ３を送信し（Ｔ１２）、中継ＢＯＸ３のマイコン３０の応答を待つ。中継ＢＯＸ３のマイコン３０は接続確認用データＩＤ３を受信し（Ｔ１３）接続確認用データＩＤ４とフラッシュメモリ３１に格納されている１つ以上の料理情報ＭＩから読出した１つ以上の料理名ＭＮｉを送信する（Ｔ１４）。
【０２４８】
電子レンジ１側のマイコン１０は、中継ＢＯＸ３から送信されるデータＩＤ４を受信して中継ＢＯＸ３が接続されていることを確認し（Ｔ１５）、同時に受信した料理名ＭＮｉを用いて図４３のメニュー選択画面を表示する（Ｔ１６）。ここで、図４３の削除キー１８０がユーザにより操作されると削除キー１８０が操作されたことを示す削除キーデータＩＤ５が中継ＢＯＸ３のマイコン３０に送信される（Ｔ１８）。マイコン３０は削除キーデータＩＤ５を受信し（Ｔ１９）応じてフラッシュメモリ３１中のすべての料理情報ＭＩを削除する（Ｔ２０）。
【０２４９】
通常、中継ＢＯＸ３は電子レンジ１本体に接続されているので本実施の形態によれば中継ＢＯＸ３本体に表示装置やキー入力装置を設けることなく、電子レンジ１側でフラッシュメモリ３１に格納された料理情報ＭＩに関する画面表示ならびにメニュー情報ＭＩの削除を行なえる。
【０２５０】
（実施の形態１３）
次に実施の形態１３について説明する。
【０２５１】
図４４は、この発明の実施の形態１３における電子レンジシステムの構成図であり、図４５は図４４の各部の構成図である。図４４と図４５で示される構成と図１と図２で示される構成とを比較し異なる点は、中継ＢＯＸ３に代替して中継ＢＯＸ３Ｆが設けられる点にある。中継ＢＯＸ３Ｆはディスプレイ３５とこれに関連の表示装置３６およびキー操作部３７とこれに関連のキー入力装置３８をマイコン３０に制御されるようにして中継ＢＯＸ３の構成に追加して設ける。ここでは、ディスプレイ３５とキー操作部３７とを個別に設けたが、一体的に構成されたタッチパネルとして提供されてもよい。
【０２５２】
図４６は、この発明の実施の形態１３における中継ＢＯＸとパソコンとの動作を示すフローチャートである。本実施の形態では、中継ＢＯＸ３Ｆのフラッシュメモリ３１に格納された料理情報ＭＩについての内容確認および削除はパソコン２または中継ＢＯＸ３Ｆ側で行なわれる。この点について図４６のフローチャートを参照し説明する。
【０２５３】
まず、パソコン２はＲＳ−２３２Ｃに従って中継ＢＯＸ３Ｆに中継ＢＯＸ３Ｆがパソコン２に接続されていることを確認するための接続確認用データＩＤ６を送信し（Ｔ１３）中継ＢＯＸ３Ｆのマイコン３０の応答を待つ。マイコン３０は、パソコン２からの接続確認用データＩＤ６を受信し（Ｔ１４）パソコン２に接続されていることを示す接続確認用データＩＤ７を送信する（Ｔ１５）。
【０２５４】
パソコン２は、接続確認用データＩＤ７を受信して中継ＢＯＸ３Ｆの接続を確認すると（Ｔ１６）、たとえば図１５（Ｃ）のメニュー選択画面を表示する（Ｔ１７）。そして、パソコン２の入力部２４中のデータを削除するための削除キーが操作されると（Ｔ１８）、料理情報ＭＩの削除を指示する削除指示データＩＤ８が送信される（Ｔ１９）。
【０２５５】
中継ＢＯＸ３Ｆのマイコン３０は、削除指示データＩＤ８を受信し（Ｔ２０）フラッシュメモリ３１中のすべての料理情報ＭＩを削除する（Ｔ２１）。
【０２５６】
なお、中継ＢＯＸ３Ｆに設けられた表示装置３６とキー入力装置３８を用いて料理情報ＭＩを確認してフラッシュメモリ３１から削除するように操作してもよい。また、表示装置３６に中継ＢＯＸ３Ｆの動作状態を示すようにしてもよい。
【０２５７】
このように、中継ＢＯＸ３Ｆ単体での動作状態やフラッシュメモリ３１に格納されている料理情報ＭＩを中継ＢＯＸ３Ｆの表示装置３６やパソコン２の出力部２３を使用し確認できる。そして、この確認結果に従ってフラッシュメモリ３１に格納されている料理情報ＭＩの削除を中継ＢＯＸ３Ｆのキー入力装置３８、パソコン２の入力部２４のキー操作で指示することにより中継ＢＯＸ３Ｆを電子レンジ１に接続することなくフラッシュメモリ３１の料理情報ＭＩの削除を行なうことができる。
【０２５８】
（実施の形態１４）
次に、実施の形態１４について説明する。図４７は、この発明の実施の形態１４における中継ＢＯＸ３と電子レンジ１との動作を示すフローチャートである。本実施の形態のシステム構成および各部の構成は図１と図２に示されたものと同様である。
【０２５９】
本実施の形態では中継ＢＯＸ３のフラッシュメモリ３１に格納された料理情報ＭＩの検索と並べ替えの操作を電子レンジ１の入力部１５を介して行なうことができる。この詳細を図４７のフローチャートを参照して説明する。
【０２６０】
まず、電子レンジ１側のマイコン１０は、電源ＯＮされると定期的に（たとえば１秒毎に）中継ＢＯＸ３に対して接続確認用データＩＤ３を送信し（Ｔ１２）、中継ＢＯＸ３のマイコン３０の応答を待つ。マイコン３０は接続確認用データＩＤ３を受信し（Ｔ１３）接続確認用データＩＤ４とフラッシュメモリ３１に格納されている１つ以上の料理情報ＭＩから読出された料理名ＭＮｉとを送信する（Ｔ１４）。
【０２６１】
電子レンジ１側のマイコン１０は、接続確認用データＩＤ４を受信して中継ＢＯＸ３の接続を確認し（Ｔ１５）、接続確認用データＩＤ４とともに受信した料理名ＭＮｉをもとにたとえば図１５（Ｃ）に示されるようなメニュー選択画面を表示する（Ｔ１６）。ここで入力部１５の検索キーが操作されてフラッシュメモリ３１中の料理情報ＭＩを検索するためのキーワードが入力されると（Ｔ１７）検索キーの入力と検索キーワードとを示す検索データＩＤ９を中継ＢＯＸ３のマイコン３０に送信する（Ｔ１８）。中継ＢＯＸ３のマイコン３０は検索データＩＤ９を受信し（Ｔ１９）受信した検索データＩＤ９中のキーワードを用いてフラッシュメモリ３１に格納されている料理情報ＭＩを検索し（Ｔ２０）検索結果えられた料理情報ＭＩをフラッシュメモリ３１の先頭に位置するように料理情報ＭＩを並べ替える（Ｔ２１）。
【０２６２】
中継ＢＯＸ３のフラッシュメモリ３１に格納される料理情報ＭＩが増加すると電子レンジ１本体のメニュー選択画面が１画面で構成できないので画面切換が必要とされる。この点についてはフラッシュメモリ３１に格納される料理情報ＭＩの件数が増えれば増えるほどユーザにとっては画面切換操作が煩わしい。しかし本実施の形態によれば、通常、中継ＢＯＸ３は電子レンジ１本体に接続されているから中継ＢＯＸ３本体に表示装置やキー入力装置を設けることなく、電子レンジ１側のキー操作によりフラッシュメモリ３１に格納されている料理情報ＭＩの検索と並べ替えを行なうことができる。したがって、メニュー選択画面が複数画面で構成される場合でも、所望される料理情報ＭＩが１番目のメニュー選択画面にて表示されるようにできて、画面切換操作の煩わしさは解消される。
【０２６３】
（実施の形態１５）
次に、実施の形態１５について説明する。
【０２６４】
図４８はこの発明の実施の形態１５における中継ＢＯＸとパソコンの動作を説明するためのフローチャートである。本実施の形態では、図４４と図４５で示されたのと同じシステム構成と各部の構成が適用される。
【０２６５】
本実施の形態では、中継ＢＯＸ３Ｆとフラッシュメモリ３１に格納された料理情報ＭＩの検索と並べ替えのための操作をパソコン２または中継ＢＯＸ３Ｆにて行なうことができる。この点について図４８のフローチャートを参照し説明する。まず、パソコン２はＲＳ−２３２Ｃに従い中継ＢＯＸ３Ｆに接続確認用データＩＤ６を送信し（Ｔ１３）中継ＢＯＸ３Ｆのマイコン３０の応答を待つ。マイコン３０は接続確認用データＩＤ６を受信して（Ｔ１４）接続確認用データＩＤ７を送信する（Ｔ１５）。パソコンは接続確認用データＩＤ７を受信して中継ＢＯＸ３Ｆのパソコン２への接続を確認し（Ｔ１６）たとえば図１５（Ｃ）のメニュー選択画面を表示する。
【０２６６】
次に、ユーザによりパソコン２の入力部２４を介してフラッシュメモリ３１中の料理情報の検索を指示する検索キーと検索のためのキーワードが入力されると検索キーの入力と検索キーワードを示す検索データＩＤ１０を中継ＢＯＸ３Ｆのマイコン３０に送信する（Ｔ１９）。
【０２６７】
中継ＢＯＸ３Ｆのマイコン３０は、検索データＩＤ１０を受信し（Ｔ２０）、フラッシュメモリ３１に格納されている料理情報ＭＩを受信された検索キーワードに基づいて検索し（Ｔ２１）検索結果得られた料理情報ＭＩをメモリ３１の先頭に位置するように並べ替える（Ｔ２２）。
【０２６８】
また、中継ＢＯＸ３Ｆに設けられた表示装置３６とキー入力装置３８により、料理情報ＭＩの検索と並べ替えを行なうようにしてもよい。
【０２６９】
中継ＢＯＸ３Ｆのフラッシュメモリ３１に格納される料理情報ＭＩが増えると、該電子レンジ１側で表示されるメニュー選択画面を１画面で構成することはできないので、メニュー選択画面を複数画面で構成して画面切換操作が必要とされるから、フラッシュメモリ３１に格納される料理情報ＭＩが増えれば増えるほどユーザにとっては画面切換操作が煩わしい。
【０２７０】
そこで、本実施の形態では、中継ＢＯＸ３Ｆ単体での動作状態やフラッシュメモリ３１に格納された料理情報ＭＩに関する情報を中継ＢＯＸ３Ｆの表示装置３６やパソコン２の出力部２３の表示装置を使用して表示する。また、フラッシュメモリ３１に格納された料理情報ＭＩの検索や並べ替えを中継ＢＯＸ３Ｆのキー入力装置３８やパソコン２の入力部２４のキーを使用することにより行なえて電子レンジ１に中継ＢＯＸ３Ｆを接続することなく上画面切換操作の煩わしさは解消される。
【０２７１】
（実施の形態１６）
次に、実施の形態１６について説明する。
【０２７２】
本実施の形態では前述した電子レンジシステムにおいて、パソコンの機能が、携帯可能な情報処理端末装置（以降、モバイルと呼ぶ）に代替される。つまり、このモバイルにより、前述のパソコンと中継ボックスの役割が実現された電子レンジシステムが提供される。
【０２７３】
図４９（Ａ）と（Ｂ）は、この発明の実施の形態１６による電子レンジシステムの概略構成図である。図５０は、本実施の形態の電子レンジとモバイルのブロック構成を示す図である。
【０２７４】
図４９（Ａ）と（Ｂ）において電子レンジシステムは、宅外には、インターネット５およびインターネット５に接続されたホストコンピュータ４とが設けられる。また、ユーザ側には、宅内の台所に設けられた電子レンジ１Ｇ、電子レンジ１Ｇに接続されるモバイル２Ｇ、およびインターネット５とモバイル２Ｇとを電話回線ＴＥＮを介して通信接続するためのデジタル情報を送受信可能な携帯型電話機８Ｇを有する。なお、モバイル２Ｇとインターネット５とを接続するための回線には、ＩＳＤＮ（統合サービスデジタル通信網の略）が用いられてもよい。
【０２７５】
宅内の台所において電子レンジ１Ｇとモバイル２Ｇとは専用ケーブル９９を介して接続される。電子レンジ１Ｇとモバイル２Ｇの接続時には、図示されるように専用ケーブル９９の両端の３極端子のコネクタＣＮ１および１６極端子のコネクタＣＮ２のそれぞれは電子レンジ１Ｇおよびモバイル２Ｇの図示されない入出力端子に接続される。
【０２７６】
ここでは、インターネット５とモバイル２Ｇとを接続するためにモバイル２Ｇを電話回線ＴＥＮに接続することができるモデム機能を有した携帯型電話機８Ｇが用いられているが、これに特定されない。たとえばモバイル２Ｇにモデムが予め内蔵されている場合には、このモデムに電話回線ＴＥＮを直接に接続するようにしても同様に機能することができる。
【０２７７】
宅外のホストコンピュータ４にはインターネット５を介してアクセスされる各種のホームページに関する情報が登録される。ホストコンピュータ４は該ホストコンピュータ４自体を集中的に制御および管理するための処理部４１、ホームページの画面を構成するためのホームページ情報を含む情報が格納されるメモリ領域であるホームページ格納部４２１を有するメモリ４２、入力部４３、出力部４４およびインターネット５と該ホストコンピュータ４とを通信接続するための通信部４５を含む。
【０２７８】
図５０において電子レンジ１Ｇは制御部１０Ｇと加熱部１０Ｂとを含む。制御部１０Ｇはマイコン１０、メモリ１１、表示部であるＬＣＤ（液晶ディスプレイ）パネル１３、ＬＣＤパネル１３を駆動するためのＬＣＤドライバ１２、コネクタＣＮ１が接続される入出力端子を含むＩ／Ｆ（インタフェースの略）部１４５、外部操作可能な入力部１５および該電子レンジ１Ｇの各部に電流を供給するための電源回路１６を含む。入力部１５とＬＣＤパネル１３とは一体的に設けられて、電子レンジ１Ｇの操作面においてタッチパネルを構成する。
【０２７９】
加熱部１０Ｂは、マイコン１０の制御に従いメモリ１１に格納された後述する加熱データを含む各種の情報に従う加熱調理のための加熱動作をする。加熱動作のために加熱部１０Ｂはセンサ部６０、ブザー６１、リレー６２などを介してマイコン１０により制御されるターンテーブルモータ６３、ヒータ６４および加熱のためのマイクロ波を発生するマグネトロン６５を含む。なお、ここでは加熱部１０Ｂにおける加熱動作は公知の技術に従うので、詳細説明は省略される。
【０２８０】
モバイル２ＧはＣＰＵ２０、ホストコンピュータ４から後述するようにしてダウンロードされるプログラムＰＲＯ１を含む情報が格納されるメモリ２１、表示部２２、出力部２３、外部操作可能なペンなどからなる入力部２４、専用ケーブル９９と携帯型電話機８Ｇ側のケーブル９９０とのいずれか一方を接続して、携帯型電話機８Ｇおよび電子レンジ１Ｇのいずれか一方とＣＰＵ２０との間の通信を行なうためのシリアルポート２５Ｇを含む。
【０２８１】
図５１は、本発明の各実施の形態に係る電子レンジシステムにおけるソフトウェアの機能ブロックを概念的に示した図である。モバイル２Ｇは、一般的にパソコンと比較するとメモリ容量・処理速度の点で劣り、それゆえに、大規模プログラムや、同時に複数のプログラムを実行することはできない。つまり、モバイル２Ｇでは、インターネット５にアクセスし料理情報ＭＩをモバイル２Ｇにダウンロードするプログラム（ブラウザ１０１）と、ダウンロードした料理名を編集したり、記憶している料理の料理情報ＭＩを電子レンジ１Ｇに送信するプログラム（インターネットクッキングシステム１００）とを同時に実行させることができない。つまり、モバイル２Ｇ側においてブラウザ１０１とインターネットクッキングシステム１００とを相互に切換えながらプログラムを実行させる必要がある。
【０２８２】
モバイル２Ｇの設計にあたっては、モバイル２ＧのＯＳ（オペレーティングシステム）およびブラウザ１０１などからなる基本システムはそのまま使用されて、必要最低限のプログラム開発に留めることで、本システムの開発の短縮、開発費の低減が図れる。
【０２８３】
また、ＯＳやブラウザ１０１の仕様が変更される場合でも、変更の内容は、モバイル２Ｇの基本システムにおいて吸収できるから、本電子レンジシステムのために開発された専用のプログラムＰＲＯ１は変更することなく使用可能である。
【０２８４】
図５１においてモバイル２Ｇと電子レンジ１Ｇとを含んで構成されるインターネットクッキングシステム１００によりインターネット５にアクセスが行なわれる場合には、モバイル２Ｇのブラウザ１０１が起動される。ブラウザ１０１は起動されると、自動的に電話回線ＴＥＮを介してプロバイダ（図示せず）に接続し、このプロバイダを経由してインターネット５をアクセスし、所定のホームページにアクセスし、モバイル２Ｇが所定ホームページをアクセス可能な状態となるように設定する。つまり、図５１においてプログラムの動作は、タイミング＃１でインターネットクッキングシステム１００からブラウザ１０１に切換わり、タイミング＃２でブラウザ１０１からインターネットクッキングシステム１００に切換わることが示される。
【０２８５】
図５２（Ａ）と（Ｂ）は、図４９（Ａ）におけるモバイルからホームページへのアクセス手順を示すフローチャートである。図５３（Ａ）〜（Ｃ）は、図５２（Ａ）と（Ｂ）の処理において表示される画面例を示す図である。図４９〜図５３を参照して、ホームページ「スマートクッキング」をアクセスする手順を説明する。
【０２８６】
ユーザが、このシステムを初めて使用するときは、携帯型電話機８Ｇをケーブル９９０を介してモバイル２Ｇのシリアルポート２５Ｇに接続して、モバイル２Ｇの電源を入れて、ホームページ「スマートクッキング」をアクセスすると、図５３（Ｃ）の画面がモバイル２Ｇの表示部２２に表示される（図５２（Ａ）のＳ１とＳ２）。ここで、表示される画面は、ホストコンピュータ４のホームページ格納部４２１のホームページ「スマートクッキング」の内容をアクセスするための画面である。
【０２８７】
ホームページ「スマートクッキング」には、電子レンジ１Ｇで加熱調理可能な料理メニューのメニュー情報ＭＩや専用のプログラム情報が格納される。
【０２８８】
初めて電子レンジシステムが使用されるときは、ユーザは図５３（Ｃ）の画面の矢印Ａで示される「プログラム」をクリックするので（Ｓ３でＹＥＳ）、ホストコンピュータ４から該電子レンジシステムのための各種のプログラムが、モバイル２Ｇにダウンロードされる。この各種プログラムは、例えば、ホームページ格納部４２１からダウンロードされた料理情報ＭＩを電子レンジ１Ｇに送るためのプログラム、または料理メニューの編集処理を行なうためのプログラムなどである。これら各種の専用プログラムはホストコンピュータ４からモバイル２Ｇにダウンロードされると、モバイル２Ｇのメモリ２１にプログラムＰＲＯ１としてストアされる（Ｓ４）。
【０２８９】
モバイル２Ｇに、プログラムＰＲＯ１がダウンロードされてストアされた後の２回目以降の電子レンジシステム使用時には、図５２（Ｂ）で示されるように、モバイル２Ｇの電源を入れた後、図５３（Ａ）の画面が表示部２２に表示される（Ｓ５）。ここで、ユーザが図５３（Ａ）矢印の「ｉ−クッキング」をクリックすると、インターネットクッキングシステム１００が起動されて、図５３（Ｂ）の画面に切換わる（Ｓ６、Ｓ７）。ここでユーザが、図５３（Ｂ）の矢印の「インターネットに接続」をクリックすると、図５１のタイミング＃１によりブラウザ１０１が起動されて、自動的に図示されないプロバイダに携帯型電話機８Ｇを介して通信接続されて、さらに自動的にホストコンピュータ４のホームページ格納部４２１のホームページ「スマートクッキング」がアクセスされる（Ｓ８，Ｓ９）。このアクセスが完了するとモバイル２Ｇの表示部２２には、図５３（Ｃ）の「スマートクッキング」の画面が表示される（Ｓ１０）。
【０２９０】
その後に、料理メニューの情報を検索する。この検索方法は色々あるが、ここでは「今月のメニュー」を検索する場合を説明する。
【０２９１】
図５４は、この発明の実施の形態１６によるホストコンピュータ側の料理メニュー情報を検索してモバイルにロードするための処理フローチャートである。図５５〜図５７は、図５４の処理における表示画面例を示す図である。
【０２９２】
まずモバイル２Ｇの表示部２２の図５３（Ｃ）の「スマートクッキング」の画面で、矢印Ｂの「今月のメニュー」がユーザの入力部２４の操作によりクリックされると（図５４のＳ１５）、たとえば図５５のように、１０月にふさわしい料理メニューの一覧が表示される（Ｓ１６）。次に、ユーザが所望する料理、たとえば、図５５の矢印で示される「里いもととり肉の中華風煮もの」がクリックされるので（Ｓ１７）、図５６のように「里いもととり肉の中華風煮もの」の料理情報ＭＩに基づく情報がモバイル２Ｇの表示部２２に表示される（Ｓ１８）。
【０２９３】
表示部２２に表示された内容を見て、ユーザがこの料理情報ＭＩを要求した場合は、ユーザは図５６の画面の矢印で示される「調理データのダウンロード」のイラストをクリックするので、ホストコンピュータ４のホームページ「スマートクッキング」の所望される料理の料理情報ＭＩが次々と、インターネット５および携帯型電話機８を介してモバイル２のメモリ２１にダウンロードされる（Ｓ１７〜Ｓ２１のループ処理）。所望する全ての料理のそれぞれについての料理情報ＭＩのダウンロードが完了すると（Ｓ２１でＹＥＳ）、ブラウザ１０１によりホームページ「スマートクッキング」のアクセス処理は終了されて、続いてインターネット通信が終了される。
【０２９４】
インターネット通信が終了すると図５１のタイミング＃２により、処理はブラウザ１０１からインターネットクッキングシステム１００に切換り、インターネットクッキングシステム１００により表示部２２には、図５７に示される画面が表示される（Ｓ２２）。
【０２９５】
図５８は、図４９のモバイル２Ｇにダウンロードされた料理情報ＭＩを電子レンジ１Ｇに伝送して記憶させるための手順を示すフローチャートである。図５９と図６０は、図５８の処理における電子レンジ１Ｇとモバイル２Ｇとの通信時にモバイル２Ｇにおいて表示される画面例を示す図である。
【０２９６】
上述のようにしてホストコンピュータ４からモバイル２Ｇのメモリ２１にダウンロードされた料理の料理情報ＭＩは、その後、モバイル２Ｇから電子レンジ１Ｇに伝送されて、メモリ１１にストアされる。これにより、電子レンジ１Ｇでは、料理情報ＭＩに従う加熱調理が可能な状態とされる。料理情報ＭＩを、モバイル２Ｇから電子レンジ１Ｇに伝送する場合には、図４９（Ｂ）で示されるように、携帯型電話機８Ｇ側のケーブル９９０はモバイル２Ｇのシリアルポート２５Ｇから外されて、シリアルポート２５Ｇには電子レンジ１Ｇ側の専用ケーブル９９が接続される。その後の具体的な手順を以下に説明する。
【０２９７】
モバイル２Ｇでは図５７の画面が表示されているので、ユーザは図５７の矢印の「メニュー一覧表示」をクリックすると、たとえば図５９に示される料理メニューの料理名を編集するためのメニュー編集画面が表示される（Ｓ２５、Ｓ２６）。電子レンジ１Ｇのメモリ１１に記憶可能な料理名ＭＮｉが５料理分であるとすれば、図５９のメニュー編集画面では、モバイル２Ｇのメモリ２１にダウンロードされて記憶されている料理情報ＭＩのそれぞれに対応する料理名ＭＮｉが一覧表示される「記憶メニュー一覧」の表示領域９０から、所望される５つの料理名ＭＮｉを画面右側の「レンジ転送メニュー」の表示領域９１に送り込んで表示させる。
【０２９８】
表示領域９１には、電子レンジ１Ｇのメモリ１１に記憶可能な５料理分の料理名ＭＮｉが表示される。電子レンジ１Ｇのメモリ１１に記憶させる料理名ＭＮｉが決定されると（Ｓ２７）、図５９の「通信画面へ」のボタン７４がクリックされる（Ｓ２８）。これにより、モバイル２Ｇの表示画面は図６０の画面に切換わり、電子レンジ１Ｇからの通信要求待ち状態となる（Ｓ２９）。
【０２９９】
一方、電子レンジ１Ｇでは電源ＯＮされて専用ケーブル９９を介してモバイル２Ｇが接続されると（Ｓ４０、Ｓ４１）、ユーザは電子レンジ１Ｇの前面に設けられたＬＣＤパネル１３と入力部１５からなる操作部の「ｉ」キー（図示せず）を押下するので、モバイル２Ｇに対して通信要求がなされる（Ｓ４２）。その後、電子レンジ１Ｇにおいては、モバイル２Ｇから図５９の画面で選択されて表示領域９１に表示されていた５つの料理名ＭＮｉが受信されて、受信された５つの料理名ＭＮｉがＬＣＤパネル１３に一覧表示される（Ｓ３０、Ｓ４３）。
【０３００】
その後、ユーザはＬＣＤパネル１３に表示された料理名ＭＮｉの一覧の中から、希望の料理の料理名ＭＮｉ、たとえば「ウナギナスイタメ」を押下するので（Ｓ４４）、電子レンジ１Ｇは、この所望料理の料理情報ＭＩをモバイル２Ｇに要求して、受信する（Ｓ４５、Ｓ３１）。そして、受信された料理情報ＭＩは電子レンジ１Ｇのメモリ１１に記憶される（Ｓ４６）。これにより、電子レンジ１Ｇはモバイル２Ｇから受信された料理情報ＭＩに従って、所望される料理料理の自動的な加熱調理が可能な状態となる。
【０３０１】
なお、図４９では、モバイル２Ｇには、専用のケーブル９９０を介してデジタル情報を通信可能な携帯型電話機８Ｇが接続されるとしているが、ＰＨＳ（Personal handy phone Systemの略）専用の接続ケーブルを介してＰＨＳ電話機と接続されるとしても上述と同様の処理をすることができる。
【０３０２】
（実施の形態１７）
次に、実施の形態１７について説明する。
【０３０３】
実施の形態１６では、モバイル２Ｇのシリアルポート２５Ｇは、携帯型電話機８Ｇを接続するためのケーブル９９０と電子レンジ１Ｇを接続するための専用ケーブル９９とで共用されるので、両ケーブルをシリアルポート２５Ｇに接続するための切換え操作が必要とされる。そこで、本実施の形態１７では、ＰＨＳ電話機と専用ケーブル９９とを同時にモバイルに接続したままの状態でシステムを動作させることができるよう構成される。
【０３０４】
図６１は、本実施の形態１７によるモバイルにＰＨＳ電話機と電子レンジ側の専用ケーブルとを同時に接続した状態を示す図である。図６１では、モバイル２ＨにはＰＨＳ電話機８Ａと専用ケーブル９９を介して電子レンジ１Ｇとが同時に接続されて使用されることが示される。図６２は、図６１の電子レンジとモバイルとの構成を示す図である。図６２において、電子レンジ１Ｇの構成は、図５０のそれと同じであり、モバイル２Ｈの構成と、図５０のモバイル２Ｇの構成を比較して異なる点は、モバイル２ＨにＰＨＳ電話機８Ａを接続するためのスロット部２６Ｈが追加して設けられ、シリアルポート２５Ｇに代替して専用ケーブル９９のみが接続されるシリアルポート２５Ｈが設けられた点にある。モバイル２Ｈの他の構成は、モバイル２Ｇのそれと同様である。
【０３０５】
ＰＨＳ電話機８Ａは、モバイル２Ｈのスロット部２６Ｈに直接接続するための図示されない端子部を内蔵して構成される。このスロット部２６ＨにＰＨＳ電話機８Ａが直接接続されることで、両者の通信が図られる。
【０３０６】
なお、図６１の構成における動作は実施の形態１６に説明したものと同様である。また、ＰＨＳ電話機８Ａに限定されず、インターネット５を介して、デジタル情報を送受信可能な携帯型電話機であればよい。
【０３０７】
（実施の形態１８）
次に、実施の形態１８について説明する。
【０３０８】
図６３（Ａ）と（Ｂ）は、本実施の形態１８においてモバイルと電子レンジがＩｒＤＡ（Infrared  Data  Associationの略）により通信する状態を示す図である。図６４は、図６３（Ｂ）の電子レンジとモバイルの構成を示す図である。図６４の構成と図５０のそれと比較して異なる点は、図６４の電子レンジ１Ｉが図５０のＩ／Ｆ部１４５に代替してＩｒＤＡ通信のためのＩｒＤＡ回路１４Ｉを備え、モバイル２ＩがＩｒＤＡ通信のためのＩｒＤＡＩ／Ｆ部２５Ｉと、ケーブル９９０を接続するためのシリアルポート２６Ｉとを追加して備える点にある。その他の構成は図５０のそれと同じである。
【０３０９】
本実施の形態１８では電子レンジ１Ｉとモバイル２Ｉとの間の通信は赤外線にて行なうものである。赤外線通信は指向性が狭いから、モバイル２ＩのＩｒＤＡＩ／Ｆ部２５Ｉにより駆動される図６３の赤外線受発光部７Ｉを、電子レンジ１Ｉ本体の前面に設けられた図６３の赤外線受発光部６Ｉの正面に接近させる必要がある。赤外線受発光部６ＩはＩｒＤＡ回路１４Ｉにより駆動されて赤外線を受発光する。本実施の形態によれば、専用ケーブル９９をモバイル２Ｉ接続する手間が省ける。なお、携帯型電話機８Ｇに代替してＰＨＳ電話機８Ａを使用することも可能であり、その場合はさらに簡易なシステムの形態となる。
【０３１０】
（実施の形態１９）
次に、実施の形態１９について説明する。
【０３１１】
図６５（Ａ）と（Ｂ）は、本実施の形態１９によるモバイルから電子レンジへの料理情報の転送における編集のための画面表示の一例を示す図である。図６６（Ａ）と（Ｂ）は本実施の形態１９によるモバイルから電子レンジへの料理情報の転送における編集のための画面表示の他の例を示す図である。
【０３１２】
ここでは、モバイル２Ｇ〜２Ｉのいずれかを使うことにより電子レンジ１Ｇ〜１Ｉのメモリ１１の容量の制限にかかわらず、ホームページ「スマートクッキング」をアクセスして得た料理情報ＭＩをメモリ２１の容量一杯まで受信可能にできる。また、モバイル２Ｇ〜２Ｉには、たとえば２４０×３２０ドット程度の液晶表示パネルが表示部２２として搭載されており、モバイル２Ｇ〜２Ｉにダウンロードされたメニューを表示画面上で自由に編集できる。その編集の様子が図６５（Ａ）と（Ｂ）に示される。なお、ここでは、説明を簡単にするためにモバイル２Ｇと電子レンジ１Ｇとの間の処理について説明する。
【０３１３】
インターネット５経由でモバイル２Ｇにダウンロードされた料理情報ＭＮｉのそれぞれの料理名ＭＮｉは、図６５（Ａ）の「記憶ＭＥＮＵ一覧」の表示領域９０に表示される。表示領域９０には、ホームページ「スマートクッキング」からモバイル２Ｇのメモリ２１にダウンロードされた全ての料理情報ＭＩのそれぞれについての料理名ＭＮｉである。
【０３１４】
表示領域９０の制限から一度に表示することのできる料理名ＭＮｉの数には限度があるので、表示領域９０のカーソル９２（△，▽）をペンで押すことで、モバイル２Ｇのメモリ２１に記憶しているすべての料理情報ＭＩのそれぞれについての料理名ＭＮｉをスクロールして見ることができる。一方、「レンジ転送ＭＥＮＵ」の表示領域９１には、電子レンジ１Ｇのメモリ１１に記憶されて、ＬＣＤパネル１３にて表示することのできる全ての料理名ＭＮｉ、例えば５料理分の料理名ＭＮｉが表示される。したがってモバイル２Ｇ側では、電子レンジ１Ｇのメモリ１１で記憶できる５料理分を予め選び出す必要がある。
【０３１５】
モバイル２Ｇから電子レンジ１Ｇに伝送したい料理名ＭＮｉは、まず図６５（Ａ）の表示領域９０から選び出される。たとえば料理名ＭＮｉ「ステーキサラダ」を電子レンジ１Ｇに送りたい場合、入力部２４のペンで、表示領域９０の「ステーキサラダ」を押す。このとき、表示領域９１に登録可能な状態であれば、すなわち表示領域９１に表示される料理名ＭＮｉが５個未満であれば、表示領域９０の「ステーキサラダ」の表示が反転表示となる。
【０３１６】
次に、「送る→」ボタン７１をペンで押下すると、図６５（Ｂ）に示されるように、表示領域９０の「ステーキサラダ」の表示が消えて、表示領域９１の「レンジ転送ＭＥＮＵ」の中に「ステーキサラダ」が表示される。この要領で、表示領域９１に５料理分の料理名ＭＮｉが表示されるまで、表示領域９０から表示領域９１へ料理名ＭＮｉを送り込むことができる。また、「←戻す」ボタン７２をペンで押下すれば、上述と逆の操作を同様に行なうことができる。
【０３１７】
一方、表示領域９１に、既に５つの料理名ＭＮｉが表示されている場合は、それ以上新たな料理名ＭＮｉを表示領域９１に送り込むことはできない。この場合は、表示領域９１に表示される料理名ＭＮｉの中から、不要な料理名ＭＮｉを探し出し、除去する必要がある。この方法の一例として、料理名ＭＮｉ「ステーキサラダ」を除去する方法を図６６（Ａ）と（Ｂ）に示す。
【０３１８】
まず、図６６（Ａ）の表示領域９１の料理名ＭＮｉ「ステーキサラダ」をペンで押して選択すると、選択された「ステーキサラダ」が反転表示となる。
【０３１９】
次に「←戻す」ボタン７２をペンで押すと、表示領域９１の「ステーキサラダ」の表示が消えて、表示領域９０に「ステーキサラダ」の表示が現われる。結果として、表示領域９１において料理名ＭＮｉを表示するための１つの空き領域ができる。したがって、図６５（Ａ）と（Ｂ）で示された方法で、新たな料理名ＭＮｉを表示領域９０から、この空き領域に送り込むことができる。
【０３２０】
（実施の形態２０）
次に、実施の形態２０について説明する。
【０３２１】
図６７（Ａ）と（Ｂ）は、本実施の形態２０によるモバイルのメモリから料理のデータを削除する場合の画面表示例を示す図である。なお、ここでは、説明を簡単にするためにモバイル２Ｇと電子レンジ１Ｇとの間の処理について説明するが、モバイル２Ｈ、２Ｉと電子レンジ１Ｈ、１Ｉとの間の処理についても同様に適用できる。
【０３２２】
モバイル２Ｇのメモリ２１に記憶されている料理メニューのデータを整理するためや、他のプログラムやデータをメモリ２１に記憶させるためなどに、メモリ２１における不要な料理の料理情報ＭＩの削除が必要とされる。この場合の料理情報ＭＩの削除手順を、図６７（Ａ）と（Ｂ）を参照して、料理名ＭＮｉ「ステーキサラダ」の料理情報ＭＩを除去する場合について説明する。
【０３２３】
図６７（Ａ）の表示領域９０から削除したい料理名ＭＮｉ「ステーキサラダ」をペンで押すと、「ステーキサラダ」の表示が反転表示となるから、ユーザはペンで「削除」ボタン７３を押す。これにより、図６７（Ｂ）に示されるように表示領域９０から「ステーキサラダ」の表示が消去される。
【０３２４】
また、削除したい料理名ＭＮｉが表示領域９１にある場合は、実施の形態１９で説明された方法で「←戻す」ボタン７２を用いて不要な料理名ＭＮｉを表示領域９１から表示領域９０に戻し、次に、上述した「削除」ボタン７３を用いた削除の手順を実行すればよい。
【０３２５】
上述した一連の削除の手順により、表示領域９０から削除された料理名ＭＮｉに対応のメモリ２１中にダウンロードされていた料理情報ＭＩは消去されて、その分、メモリ２１に空き領域が設けられる。
【０３２６】
（実施の形態２１）
次に、実施の形態２１について説明する。
【０３２７】
モバイル２Ｇにおいて、メニューの編集処理の要求と、電子レンジ１Ｇからの通信要求とが同時に発生した場合には、プログラム多重処理による動作の不具合を防ぐため、本実施の形態ではモバイル２Ｇにおいて通信待機のための画面が表示される。図６８（Ａ）と（Ｂ）および図６９（Ａ）と（Ｂ）は、本実施の形態２１による通信待機のために表示される画面例を示す図である。
【０３２８】
なお、ここでは、説明を簡単にするためにモバイル２Ｇと電子レンジ１Ｇとの間の処理について説明するが、モバイル２Ｈ、２Ｉと電子レンジ１Ｈ、１Ｉとの間の処理についても同様に適用できる。
【０３２９】
図５９で示された料理名ＭＮｉの編集作業が終了し、「通信画面へ」ボタン７４がペンで押されると、図６０の通信待機の画面が表示される。ここでは、電子レンジ１Ｇからの通信要求があるまで、この画面の表示が保持される。この、画面では、モバイル２Ｇからインターネット５にアクセスするために使用した携帯型電話機８Ｇを取外して、専用ケーブル９９を使用して電子レンジ１Ｇを接続することを促すメッセージが表示される。
【０３３０】
図６０の画面がモバイル２Ｇにおいて表示されているとき、ユーザにより電子レンジ１Ｇの入力部１５のインターネットキー「ｉ」（図示せず）が押されることにより、電子レンジ１Ｇからモバイル２Ｇに対して電子レンジ１Ｇで表示すべき最大５つの料理名ＭＮｉが要求される。この要求を受信したモバイル２Ｇは、図５９の表示領域９１に表示されている最大５つの料理名ＭＮｉを電子レンジ１Ｇに送信する。モバイル２Ｇの表示画面は図６８（Ａ）の画面に切換わり、また電子レンジ１Ｇの表示画面は、図６８（Ｂ）の画面に切換わる。
【０３３１】
次に、ユーザが、電子レンジ１Ｇで表示された図６８（Ｂ）の画面中の所望の料理名ＭＮｉ、たとえば「ウナギナスイタメ」を押すと、モバイル２Ｇの表示画面は図６９（Ａ）の画面に切換わり、電子レンジ１Ｇがモバイル２Ｇに対して「ウナギナスイタメ」の料理情報ＭＩを要求する。
【０３３２】
モバイル２Ｇにおいては、電子レンジ１Ｇからの料理情報ＭＩの要求に従い、「ウナギナスイタメ」の料理情報ＭＩがメモリ１１から読み出されて、電子レンジ１Ｇに送信される。この料理情報ＭＩを受信した電子レンジ１Ｇは、受信した料理情報ＭＩに基づいて図６９（Ｂ）の画面を表示する。図６９（Ｂ）の画面では、受信した料理情報ＭＩの表示データＤＳ１３に基づいて「ウナギナスイタメ」の材料データＩＤｉ、および下ごしらえなどの作り方の手順を示す作り方データＩＤｉが示される。以降、受信された料理情報ＭＩの加熱データＤＳ１４に基づき電子レンジ１Ｇにおける調理動作が行なわれる。
【０３３３】
（実施の形態２２）
次に、実施の形態２２について説明する。
【０３３４】
図７０（Ａ）と（Ｂ）は、この発明の実施の形態２２によるモバイルにダウンロードされる料理情報ＭＩと付与されるファイル名の一例を説明する図である。図７１は、この発明の実施の形態２２による処理フローチャートである。なお、ここでは、説明を簡単にするためにモバイル２Ｇと電子レンジ１Ｇとの間の処理について説明するが、モバイル２Ｈ、２Ｉと電子レンジ１Ｈ、１Ｉとの間の処理についても同様に適用できる。
【０３３５】
モバイル２Ｇは、小型・軽量・低価格をセールスポイントしているので、一般的なパソコンと比較するとメモリの容量および処理速度の点で劣る。それゆえに、モバイル２Ｇのメモリ２１においては、データが階層化して記憶されることはないから、メモリ２１にダウンロードされたデータはすべて同レベルに記憶される。この際、実施の形態１６で示されたような手順で、ある料理の料理情報ＭＩをインターネット５からモバイル２Ｇにダウンロードしようとしたとき、モバイル２Ｇのメモリ２１上に該料理情報ＭＩの名前と同じ名前のデータが既に存在した場合、パソコンなどのように該料理情報ＭＩをこのデータとは一旦、別の階層に記憶するなどの処置が取れない。このため、モバイル２Ｇでは、一般的に料理情報ＭＩがメモリ２１にダウンロードされる場合には、該料理情報ＭＩにはダウンロードされた日付が名前として自動的に付与される。
【０３３６】
図７０（Ａ）には、料理情報ＭＩの一例が示される。ここでは、料理“イワシのゴマ焼”についての料理情報ＭＩである。料理情報ＭＩはフォーマット番号およびデータの末尾の番地の情報を示す拡張コード８１、アドレス情報８２、該料理の料理名ＭＮｉを電子レンジ１Ｇ側で表示させるためのタイトルデータ８３、加熱データ８４および制御データ８５を含む。
【０３３７】
アドレス情報８２は、タイトルデータ８３のアドレス、加熱データ８４のアドレス、制御および加熱データ８５および８４の先頭ならびに末尾アドレスを示す。
【０３３８】
加熱データ８４は、加熱のステージ数、加熱情報、加熱モード、パワーコード加熱時間（分，秒）のデータを含む。
【０３３９】
加熱データ８４と制御データ８５とは、電子レンジ１の加熱部１０Ｂにおける加熱調理のための動作を制御するための加熱データＤＳ１４に対応する。
【０３４０】
表示データ８６は電子レンジ１ＧのＬＣＤパネル１３に表示されるデータであり、表示データＤＳ１３に対応する。
【０３４１】
図７０（Ａ）と（Ｂ）および図７１を参照して、モバイル２Ｇにおける処理を説明する。
【０３４２】
図７０（Ａ）の料理情報ＭＩのファイル名は、ホームページ「スマートクッキング」では“ｋｓ９７０９２２．ｓｒｆ”であったとする。次に、料理情報ＭＩがモバイル２にダウンロードされた後、そのファイル名は図７０（Ｂ）に示されるように“９９０９１３ＡＡ．ｓｒｆ”に変更されるから、ファイル名を参照しただけでは、ユーザにとっては、これが何の料理の料理情報ＭＩであるかがわからない。また、ホームページ上のファイル名“ｋｓ９７０９２２．ｓｒｆ”を見てもユーザには、やはり何の料理であるかがわからない。
【０３４３】
そこで、モバイル２ＧのＣＰＵ２０は以下のように処理する。まず、料理情報ＭＩがダウンロードされると（図７１のＳ５０）、料理情報ＭＩの中から、料理名ＭＮｉに対応のタイトルデータ８３を抽出し、図７１（Ｂ）に示されるように、日本語文字列の文字列データに変換する（Ｓ５１、Ｓ５２）。そして、この文字列データをファイル名として料理情報ＭＩに付与して、該料理情報ＭＩをメモリ２１にストアする（Ｓ５３）。
【０３４４】
これにより、たとえば、ホームぺージにおいて「イワシのゴマ焼」として表示された料理名ＭＮｉは、モバイル２Ｇ側の表示部２２の表示画面においては、そのままの日本語文字列の料理名で表示される。これにより、ユーザは、ホームページで選択したものと同じ料理の料理情報ＭＩがモバイル２Ｇのメモリ２１に記憶されていることを容易に確認できる。
【０３４５】
（実施の形態２３）
次に、実施の形態２３について説明する。
【０３４６】
本実施の形態では、インターネット５からモバイル２Ｇにダウンロードされた複数の料理の料理情報ＭＩを、ユーザの好みで複数の料理群ごとに分類して、各料理群ごとに該料理群を特定するための分類名を付与して、結果として、所望の料理を抽出しやすくする方法が示される。
【０３４７】
図７２（Ａ）〜（Ｄ）は、この発明の実施の形態２３におけるモバイルの表示部における表示画面例を示す図である。図７３（Ａ）〜（Ｄ）は、本実施の形態による各分類名と、そこに対応して登録された料理名ＭＮｉとが表示される画面例を示す図である。図７４は、本実施の形態２３によるモバイルのメモリにおける分類名と料理名の対応関係を示す図である。
【０３４８】
なお、ここでは、説明を簡単にするためにモバイル２Ｇと電子レンジ１Ｇとの間の処理について説明するが、モバイル２Ｈ、２Ｉと電子レンジ１Ｈ、１Ｉとの間の処理についても同様に適用できる。
【０３４９】
前述した手順でメニュー名ＭＮｉを編集した後の、表示画面の一例が図７２（Ａ）に示される。図７２（Ａ）において表示領域９０には、インターネット５からダウンロードされたすべての料理情報ＭＩのそれぞれについての料理名ＭＮｉが表示され、表示領域９１には電子レンジ１Ｇに伝送することのできる最大５つの料理名ＭＮｉが表示される。
【０３５０】
表示領域９０において、ユーザが所望の料理を取出すには、カーソル９２をペンで押し、画面を上下にスライドさせながら探すことになる。したがって、メモリ２１に登録される料理数が多くなると、所望の料理名を探し出すのが非常に煩わしい。そこで、図７２（Ａ）では、表示領域９１に関連して、分類名の表示領域２００が示される。
【０３５１】
分類名の表示領域２００では、「分類−１  △▽」が表示される。このとき、表示領域２００のカーソル（▽）２０Ｒを押す毎に、分類名の表示領域２００には、図７２（Ｂ）で示されるように、「分類−２  △▽」、「分類−３  △▽」、「分類−４  △▽」、「分類−５  △▽」と順に切換表示される。
【０３５２】
なお、図７２（Ｂ）では、説明のために、「分類−１  △▽」〜「分類−５  △▽」が同時に表示されているが、実際には、「分類−１  △▽」〜「分類−５△▽」のうちのいずれか１つが表示される。
【０３５３】
今、図７２（Ａ）の分類名の表示領域２００の「分類−１  △▽」を、「おもてなし」に変更する場合、表示領域２００の「分類−１」をペンで押すと、画面は図７２（Ｃ）に示されるような、分類名を文字入力するための画面に切換わって、分類名を特定するための文字の入力を行なうことが可能画面となる。
【０３５４】
図７２（Ｃ）の画面における分類名の文字入力方法は、モバイル２Ｇの有する独自の機能そのものを使用して行なう。図７２（Ｃ）では、ペンで文字領域２０１の中に「おもてな（し）」と書込む。分類名の文字を書込み終了して、「採用」ボタン２０２をペンで押すと、画面は図７２（Ｄ）に切換わり、分類名の登録が完了する。図７２（Ｄ）の画面では、表示領域９１に関連した分類名の表示領域２００の表示内容が「分類―１  △▽」から「おもてなし」に更新されていることが判る。
【０３５５】
次に、登録した分類名に対応して、料理名ＭＮｉを登録するには、図７２（Ｄ）の画面において、表示領域２００に分類名「おもてなし」を表示させて、カーソル９２を操作して、表示領域９０から所望の料理名ＭＮｉを選択し、「送る→」ボタン７１をペンで押す。これにより、表示領域９１に、すなわち分類名「おもてなし」に対応して、ユーザの所望のする料理名ＭＮｉの登録が完了する。
【０３５６】
図７３（Ａ）〜（Ｄ）には、上述の手順で、各分類名毎に所望する料理名ＭＮｉが登録された状態を示す画面例が示される。
【０３５７】
本実施の形態によれば、モバイル２Ｇにダウンロードされた複数の料理名ＭＮｉは、予め分類名が付与されて分類されるので、よく調理する料理や所望の料理を取出しやすくなる。
【０３５８】
具体的には、予めよく使う料理を分類別に登録しておけば、分類名を切換えるだけで所望の料理名ＭＮｉが表示領域９１に表示されて、操作性が格段に改善される。たとえば図７３（Ａ）の矢印の料理名ＭＮｉ「洋風イカ飯」に続いて、図７３（Ｂ）の矢印の料理名ＭＮｉ「豚肉の前菜風」を調理したい場合でも、モバイル２Ｇ側ではカーソル２０Ｒをペンで１回押し、表示領域２００の分類名を「おもてなし」から「パパのお気に入り」に切換えるだけで、電子レンジ１Ｇでは「豚肉の前菜風」の料理情報ＭＩを呼出すことができる。
【０３５９】
また、電子レンジ１Ｇは５つの料理の料理情報ＭＩしか受信できない場合であっても、分類名を切換えることで、電子レンジ１Ｇで呼出せる料理の実質的な数を、モバイル２Ｇ側で記憶可能な料理数まで拡大可能である。したがって、ユーザにとって非常に使い勝手のよい電子レンジシステムが得られる。
【０３６０】
図７４には、メモリ２１における料理名ＭＮｉと分類名との対応関係が示される。図おいて、メモリ２１は分類名を示す分類名データＧＭｉがストアされる領域３００と、ダウンロードされた全ての料理情報ＭＩがストアされる領域４００とを含む。図示されるように、料理情報ＭＩには、料理名ＭＮｉが含まれる。上述した分類の一連の操作により、領域３００の分類データＧＭｉと、領域４００の対応する５つの料理名ＭＮｉとは、ポインタ（図中、矢印線で示される）で繋がれて、リストを構成する。
【０３６１】
上述したようなリスト構造が採用されるので、分類名データＧＭｉに対応した料理名ＭＮｉの読み出しを簡単にできるし、分類名データＧＭｉと料理名ＭＮｉの対応関係の変更も簡単にできる。
【０３６２】
（実施の形態２４）
次に、実施の形態２４について説明する。
【０３６３】
本実施の形態では、インターネット５からモバイル２Ｇにダウンロードされた複数の料理の料理情報ＭＩの中から、電子レンジ１Ｇに送信して加熱調理すべき料理の料理情報ＭＩを選択する際に、チェックボックスが利用される。
【０３６４】
なお、ここでは、説明を簡単にするためにモバイル２Ｇと電子レンジ１Ｇとの間の処理について説明するが、モバイル２Ｈ、２Ｉと電子レンジ１Ｈ、１Ｉとの間の処理についても同様に適用できる。
【０３６５】
図７５（Ａ）〜（Ｃ）は、この発明の実施の形態２４におけるモバイルにおいて電子レンジ側に転送する料理名の選択のための画面表示の一例を示す図である。
【０３６６】
図７５（Ａ）には、インターネット５から複数の料理情報ＭＩをモバイル２Ｇにダウンロードした後の、モバイル２Ｇにおける表示画面例が示される。図において、画面には、インターネット５からモバイル２Ｇにダウンロードされた複数の料理情報ＭＩの料理名ＭＮｉが表示される表示領域９３と、モバイル２Ｇから電子レンジ１Ｇに転送する５個の料理名ＭＮｉが表示される表示領域９４と、ボタン７６および７７とが含まれる。ここでは、表示領域９４には、料理名ＭＮｉは全く表示されていないのでモバイル２Ｇから電子レンジ１Ｇにデータの転送はできない。
【０３６７】
表示領域９３は、モバイル２Ｇにダウンロードされたすべての料理名ＭＮｉが表示される表示領域９３Ａと、表示領域９３Ｂに表示される料理名ＭＮｉのそれぞれに対応してチェックボックスが表示される表示領域９３Ｂとを含む。表示領域９３Ａにおいては、複数の料理名ＭＮｉをスクロール表示させるために操作されるカーソル９２が表示される。
【０３６８】
ここで、たとえば表示領域９３Ａの料理名ＭＮｉ「ウナギナスイタメ」の料理情報ＭＩを電子レンジ１Ｇに送信したい場合は、図７５（Ｂ）の料理名ＭＮｉ「ウナギナスイタメ」に対応のチェックボックスを入力部２４のペンで押す。このとき、チェックボックス中にチェックマーク「∨」が表示されるとともに、表示領域９４に、料理名ＭＮｉ「ウナギナスイタメ」が表示される。同一のチェックボックスを再度、ペンで押すと、チェックマーク「∨」が消去されるとともに、表示領域９４の料理名ＭＮｉ「ウナギナスイタメ」の表示も消える。
【０３６９】
このような要領で、電子レンジ１Ｇ側で加熱調理が所望される料理の料理名ＭＮｉが次々と選択されると、図７５（Ｃ）の画面となる。ここでは図示されないが、画面の表示切換のタイミングで、表示領域９３Ａにおいて、対応のチェックボックスにチェックマーク「∨」が付与された料理名ＭＮｉを上から連続して位置するように、並び替えることもできる。
【０３７０】
その後、画面の表示領域９４に表示されたすべての料理名ＭＮｉを、電子レンジ１Ｇへ送信するためのボタン７６をペンで押すと、前述した通信待機画面が表示される。以降は、前述の説明と同様であり、省略する。
【０３７１】
図７６（Ａ）〜（Ｃ）と図７７（Ａ）および（Ｂ）とは、それぞれ本実施の形態２４において所望の料理情報ＭＩをモバイル２Ｇのメモリ２１から削除する場合の表示画面例を示す図である。所望の料理情報ＭＩをモバイル２Ｇのメモリ２１から削除する場合、図７５（Ｃ）の画面において、料理情報ＭＩのメモリ２１からの削除を指示するためのボタン７７を、入力部２４のペンで押すと、画面は図７６（Ａ）に切換わる。
【０３７２】
ここで、たとえば料理名ＭＮｉ「とろろスープ」の料理情報ＭＩをモバイル２Ｇのメモリ２１から削除したい場合は、表示領域９３Ａの料理名ＭＮｉ「とろろスープ」をペンで押して選択する。これにより、料理名ＭＮｉ「とろろスープ」は、図７６（Ｂ）で示されるように反転表示されて、コメントとともに削除キー７８が表示される。
【０３７３】
削除キー７８をペンで押すと、画面は図７６（Ｃ）に切換わる。図７６（Ｃ）の画面では、選択されて反転表示された料理名ＭＮｉ「とろろスープ」の料理情報ＭＩの削除の可否を尋ねるメッセージが領域９５に表示される。ここで、ユーザは領域９５の削除の実行を指示するボタン７９をペンで押すので、対応する料理情報ＭＩはメモリ２１からの削除される。この削除が完了すると、画面は図７７（Ａ）に切換わり、領域９５において削除の完了のメッセージが通知される。
【０３７４】
ここで、削除の完了を確認したことを示すためにボタン７９１をペンで押下すると、画面は図７７（Ｂ）に切換わり、表示領域９３と９４において料理名ＭＮｉ「とろろスープ」の表示が消去される。表示領域９３においては、この削除により生じた空き領域（料理名ＭＮｉ「とろろスープ」の表示領域）を埋めるように、料理名ＭＮｉが１段ずつ上に移動して表示される。
【０３７５】
このように、チェックボックスを利用することで、電子レンジ１Ｇに送信したい料理名ＭＮｉを簡単に選択できる。
【０３７６】
（実施の形態２５）
次に、実施の形態２５について説明する。
【０３７７】
本実施の形態では、インターネット５からモバイル２Ｇにダウンロードされたすべての料理情報ＭＩのメニュー名ＭＮｉが画面上に同時に表示されて、表示されたすべての料理名ＭＮｉから所望料理名ＭＮｉを入力部２４のペンで押して選択するだけで、モバイル２Ｇから電子レンジ１Ｇへ転送する料理名ＭＮｉを選択できる。
【０３７８】
図７８（Ａ）と（Ｂ）はこの発明の実施の形態２５において、モバイル２Ｇ側で電子レンジ１Ｇに転送する料理名を選択するための画面表示の一例を示す図である。
【０３７９】
図７８（Ａ）にはインターネット５から複数の料理情報ＭＩをモバイル２Ｇにダウンロードした後のモバイル２Ｇにおける表示画面例が示される。
【０３８０】
なお、ここでは説明を簡単にするためにモバイル２Ｇと電子レンジ１Ｇとの間の処理について説明するが、モバイル２Ｈ，２Ｉと電子レンジ１Ｈ，１Ｉとの間の処理についても同様に適用できる。
【０３８１】
ここでは、モバイル２Ｇのメモリ２１に記憶可能な料理情報ＭＩの数は３０個と限定されていると想定する。今、２７個の料理情報ＭＩがモバイル２Ｇのメモリ２１に記憶されている状態が図７８（Ａ）で示される。図７８（Ａ）の画面においては、領域９６と、ボタン７６および７７１とが表示される。領域９６には、ダウンロードされたすべての料理名ＭＮｉが同時に表示される。領域９６に表示されるすべての料理名ＭＮｉから、電子レンジ１Ｇへ送信したい料理名ＭＮｉを入力部２４のペンで押して選択すると、選択された料理名ＭＮｉは反転表示となり、たとえば、図７８（Ｂ）の画面に切換わる。
【０３８２】
ここで、選択された料理名ＭＮｉを電子レンジ１Ｇに送信するために、ボタン７６をペンで押すと、前述した通信待機画面が表示される。以降の処理は、前述の説明と同様であり省略する。
【０３８３】
図７９（Ａ）〜（Ｄ）は、本実施の形態２５において、モバイル２Ｇにダウンロードされた複数の料理情報ＭＩから所望する料理情報ＭＩを削除する際に表示される画面例を示す図である。
【０３８４】
所望の料理情報ＭＩをメモリ２１から削除する場合、図７８（Ｂ）のボタン７７１がペンで押されるので、図７９（Ａ）の画面に切換わる。図７９（Ａ）のが面には、領域９６と、ボタン７６および７７２とが表示される。ボタン７７２は、料理情報ＭＩの削除の処理を中止するために押下される。
【０３８５】
メモリ２１から料理情報ＭＩを削除する場合には、領域９６において削除する料理情報ＭＩに対応の料理名ＭＮｉの選択は、反転表示の有無に関係なく行なうことができる。
【０３８６】
たとえば、図中矢印で示される料理名ＭＮｉ「洋風イカ飯」を削除する場合、料理名ＭＮｉ「洋風イカ飯」をペンで押して選択すると、画面は図７９（Ｂ）に切換わる。ここで、領域９７が表示されて、領域９７において、選択された料理名ＭＮｉに対応の料理情報ＭＩの削除を実行するか否かの問い合わせメッセージが表示される。ユーザは、このメッセージを確認して、ボタン７７３をペンで押して、削除の実行を指示すると、料理名ＭＮｉ「洋風イカ飯」の料理情報ＭＩはメモリ２１から削除される。この時、画面は図７９（Ｃ）に切換わり、領域９７において削除の完了のメッセージが示される。ユーザは、このメッセージを見て、削除の完了を確認したことを示すボタン７７３をペンで押すので、画面は図７９（Ｄ）に切換わる。この画面では、領域９６において料理名ＭＮｉ「洋風イカ飯」の表示が消去されていることがわかる。
【０３８７】
本実施の形態では、モバイル２Ｇのメモリ２１に記憶されるすべての料理情報ＭＩの料理名ＭＮｉが同一画面で同時に確認できるので、画面をスクロールしながら所望の料理名ＭＮｉを検索する必要はない。また、電子レンジ１Ｇに送信する料理情報ＭＩに対応の料理名ＭＮｉの選択と、選択の解除が料理名ＭＮｉをペンで押すだけで可能であり、使い勝手に優れる。また、モバイル２Ｇのメモリ２１から料理情報ＭＩを削除する場合も同様であり、使い勝手に優れる。
【０３８８】
（実施の形態２６）
次に、実施の形態２６について説明する。
【０３８９】
本実施の形態では、前述したような電子レンジシステムにおいて、モバイルと電子レンジの両者は、コネクタを介して直接に通信接続される。つまり、モバイルと電子レンジとはケーブルを用いずに直接に接続されて、モバイルと電子レンジとが接続された時、両者は一体化される。
【０３９０】
なお、本実施の形態における電子レンジシステムの各種機能、電子レンジの各種機能、およびモバイルの各種機能においては、電子レンジとモバイル間の通信接続時の形態に関する機能のみが異なるだけで、他の機能は前述した各実施の形態で示されたものと同様であるから、ここでは、電子レンジとモバイル間の通信形態に関する機能のみについて説明する。
【０３９１】
図８０（Ａ）と（Ｂ）は、この発明の実施の形態２６による電子レンジシステムの概略構成図である。図８１（Ａ）と（Ｂ）は、本実施の形態２６の電子レンジとモバイルのブロック構成を示す図である。
【０３９２】
図８０（Ａ）と（Ｂ）において電子レンジシステムは、宅外には、インターネット５およびインターネット５に接続されたホストコンピュータ４とが設けられる。また、ユーザ側には、宅内の台所に設けられた電子レンジ１Ｊ、電子レンジ１Ｊに接続されるモバイル２Ｊ、およびインターネット５とモバイル２Ｊとを電話回線ＴＥＮを介して通信接続するためのデジタル情報を送受信可能な携帯型電話機８Ｇを有する。
【０３９３】
宅内の台所において電子レンジ１Ｊには、モバイル２Ｊがケーブルなどは介さずに直接に接続される。
【０３９４】
図８１（Ａ）と（Ｂ）において電子レンジ１Ｊは制御部１０Ｊと前述したのと同様な加熱部１０Ｂとを含む。制御部１０Ｊは、前述した図５０の制御部１０ＧのＩ／Ｆ部１４５に代替してＩ／Ｆ部１４５Ｊを有する。制御部１０Ｊのその他の構成は、図５０で示されたものと同様であり説明を省略する。Ｉ／Ｆ部１４５Ｊは、マイコン１０にモバイル２Ｊを通信接続するために、モバイル２Ｊの後述するコネクタＣＮ１２が接続されるコネクタＣＮ１１（後述する）を有する。
【０３９５】
モバイル２Ｊは、前述したモバイル２Ｇのシリアルポート２５Ｇに代替してシリアルポート２５Ｊを含み、前述したモバイル２Ｇの構成に追加してＩ／Ｆ部２６Ｊを含む。モバイル２Ｊの他の構成は、前述したモバイル２Ｇのそれと同様なので説明は省略する。シリアルポート２５Ｊは専用ケーブル９９０を介して携帯型電話機８Ｇをモバイル２Ｊに通信接続する。Ｉ／Ｆ部２６Ｊは、電子レンジ１Ｊをモバイル２Ｊに通信接続するために、Ｉ／Ｆ部１４５Ｊの後述するコネクタＣＮ１１が接続されるコネクタＣＮ１２（後述する）を有する。
【０３９６】
図８２（Ａ）〜（Ｃ）は図８０（Ｂ）において電子レンジ１Ｊにモバイル２Ｊを接続する態様を説明する図である。図８３は、図８０（Ａ）と（Ｂ）のモバイル２ＪのＩ／Ｆ部２６Ｊのコネクタ部分の概観図である。図８４は、図８１（Ｂ）の電子レンジ１Ｊの内部のモバイル２Ｊとの通信に関する箇所の回路図である。
【０３９７】
図８２（Ａ）には、電子レンジ１Ｊの前面が示されて、図８２（Ｂ）には電子レンジ１Ｊの側面が示される。図示されるように、Ｉ／Ｆ部１４５ＪのコネクタＣＮ１１は凸型の形状を有して、電子レンジ１Ｊの前面下部に設けられる。なお、コネクタＣＮ１１の設置場所は、ここに限定されない。図８２（Ｃ）には、モバイル２ＪのＩ／Ｆ部２６ＪのコネクタＣＮ１２（図８３参照）が、コネクタＣＮ１１に挿入されて、電子レンジ１Ｊとモバイル２Ｊとが通信可能に接続された状態における電子レンジ１Ｊの側面図が示される。ここでは、コネクタＣＮ１２は凹型の形状を有する。
【０３９８】
ここで、図５８で示された手順によりモバイル２Ｊのメモリ２１には予めホームページから料理メニューに関する情報がダウンロードされていると想定する。この場合、図８２（Ｃ）に示されるようにして、モバイル２６ＪのＩ／Ｆ部２６ＪのコネクタＣＮ１２は電子レンジ１ＪのＩ／Ｆ部１４５ＪのコネクタＣＮ１１に挿入されて、モバイル２Ｊと電子レンジＩＪとの通信が可能な状態になっているとする。図８４においては、この状態における、Ｉ／Ｆ部１４５Ｊ側のデータ通信のための主要部が示される。
【０３９９】
図８４においてＩ／Ｆ部１４５Ｊは、マイコン１０側においてマイコン１０がモバイル２Ｊから送信されるデータを入力するための入力端子Ｓｉ１およびモバイル２Ｊへ送信するデータを出力するための出力端子Ｓｏ１を含み、モバイル２ＪのＩ／Ｆ部２６Ｊ側においてコネクタ部ＣＮＡを含み、さらに入出力端子Ｓｉ１およびＳｏ１とコネクタ部ＣＮＡとの間において、デジタルトランジスタＱ１〜Ｑ３、ダイオードＤ１〜Ｄ４、抵抗Ｒ１〜Ｒ３、Ｒ２０６〜Ｒ２１０、Ｒ３００〜Ｒ３０３、フォトカプラＰＴ２０１およびＰＴ２０２を含む。
【０４００】
コネクタ部ＣＮＡは、コネクタＣＮ１１とＣＮ１２とが接続された部分を示す。図においては、コネクタ部ＣＮＡでは、Ｉ／Ｆ部２６Ｊ側のデータ送信用端子ＳＤ、データ受信用端子ＲＤ、電源端子ＶＣＣおよび接地用端子ＧＮＤが示される。データ送信用端子ＳＤは、モバイル２Ｊから電子レンジ１Ｊへデータを送信するための端子であり、データ受信用端子ＲＤは、電子レンジ１Ｊから送信されたデータをモバイル２Ｊ側で受信するための端子である。
【０４０１】
動作において、前述したようにして、ユーザが電子レンジ１ＪのＬＣＤパネル１３上のメニュー一覧表示のキーを押すと、電子レンジ１Ｊのマイコン１０により端子Ｓｏ１を介してＬレベルの信号がモバイル２Ｊ側へ出力される。該信号により、フォトカプラＰＴ２０２がＯＮされて、抵抗Ｒ２０６を介してデジタルトランジスタＱ３がＯＮされると、データ受信用端子ＲＤにより該信号が受信されて、応じてモバイル２ＪのＣＰＵ２０は該信号を入力して該モバイル２Ｊを起動状態に設定する。
【０４０２】
その後、図５８で説明されたような手順に従って、電子レンジ１Ｊとモバイル２Ｊ間の通信が行われる。まず、電子レンジ１Ｊのマイコン１０から料理名の入力要求を示す信号が出力されると、該信号は端子Ｓｏ１を介して、前述と同様にしてデータ受信用端子ＲＤに与えられるので、応じてモバイル２ＪのＣＰＵ２０は、メモリ２１に予めダウンロードされていた料理名に関する情報を読出して、データ送信用端子ＳＤを介して料理名に関する情報の信号を電子レンジ１ＪのＩ／Ｆ部１４５Ｊに送信する。この信号はデータ送信用端子ＳＤ、デジタルトランジスタＱ１およびＱ２、抵抗Ｒ１およびＲ２０７、フォトカプラＰＴ２０９を介してデータ入力端子Ｓｉ１に与えられる。したがって、電子レンジ１Ｊのマイコン１０は、データ入力端子Ｓｉ１を介して与えられるメニュー名の信号を読込んでメモリ１１に書込むことができる。
【０４０３】
上述したような手順により、すべての料理名がモバイル２Ｊから電子レンジ１Ｊに送信されると、電子レンジ１Ｊのマイコン１０は、Ｉ／Ｆ部１４５Ｊを介して料理名に関する情報受信終了の信号を出力する。この信号は、端子Ｓｏ１を介して、前述したのと同様な経路で、モバイル２Ｊ側のデータ受信用端子ＲＤに与えられるので、モバイル２ＪのＣＰＵ２０は、端子ＲＤに該信号が与えられたことに応じて、該モバイル２Ｊの起動状態を解除する。これにより、電子レンジ１Ｊとモバイル２Ｊ間の、一連の料理名の送受信処理は終了する。
【０４０４】
なお、ここでは、料理名に関する情報の送受信のみを示したが、その後に続いて、所望料理に関する料理情報の送受信処理が同様にして行なわれる。
【０４０５】
（実施の形態２７）
次に、実施の形態２７について説明する。
【０４０６】
本実施の形態では、電子レンジシステムにおける専用ケーブルを用いた電子レンジとモバイルの通信接続の態様が詳細に示される。したがって、ここでは、この通信接続の態様の部分のみが示される。本実施の形態における電子レンジシステム、電子レンジおよびモバイルの構成および機能は、たとえば図６１と図６２の実施の形態１７で示されたものと同じなので、説明は省略される。
【０４０７】
図８５は、この発明の実施の形態２７における専用ケーブルを介して電子レンジとモバイルとが接続された状態を示す図である。図８６は、図８５の専用ケーブルの外観を示す図である。図８７は、図８５の電子レンジに設けられたコネクタの部分を示す図である。図８８は、図８５のモバイルに設けられたコネクタ部分の外観図である。図８９は本実施の形態によるコネクタ継手部内の回路を説明する図である。
【０４０８】
図８５においては、電子レンジ１Ｇとモバイル２Ｈとが専用ケーブル９９を介して接続されて、通信可能な状態にある。専用ケーブル９９の一方端にはコネクタＣＮ１が設けられ、他方端には凸型のコネクタＣＮ２が設けられる。電子レンジ１Ｇの外部底面には、図８７に示されるようなコネクタ２４５が設けられる。図６２のＩ／Ｆ部１４５は、コネクタ２４５を含む。モバイル２Ｈの側面には、図８８で示されるようなコネクタＣＮ８が設けられる。コネクタＣＮ８は、凹型の形状を有して、コネクタＣＮ２が差込まれて、両コネクタは接続される。
【０４０９】
ここでは、コネクタＣＮ１はプラグとして機能し、コネクタ２４５はコネクタＣＮ１が差込まれるジャックとして機能する。
【０４１０】
なお、コネクタＣＮ１、ＣＮ２、２４５およびＣＮ８のそれぞれの形状は、ここに示されたものに限定されない。
【０４１１】
また、コネクタ２４５が設けられる位置は、電子レンジ１Ｇの外部底面としているが、ここに限定されない。
【０４１２】
図８５のように電子レンジ１Ｇとモバイル２Ｈとが専用ケーブル９９を介して接続された状態における、コネクタＣＮ２とＩ／Ｆ部１４５における回路が図８９に示される。
【０４１３】
図８９においては、図８４で示されたＩ／Ｆ部１４５Ｊを構成する回路が、コネクタＣＮ２とＩ／Ｆ部１４５とに分割されていることがわかる。したがって、ケーブル９９をかいして分割されている他は、図８９の回路の詳細は、図８４のそれと同様である。
【０４１４】
コネクタＣＮ２は一方端に、ケーブル９９の一方端が一括して接続される端子ＴｍＡ、ＴｍＢおよびＴｍＣを有し、他方端にコネクタ部ＣＮＢを有する。コネクタ部ＣＮＢは、コネクタＣＮ２と図６２のシリアルポート２５Ｈとの接合部である。
【０４１５】
Ｉ／Ｆ部１４５は一方端において、ケーブル９９の他方端のコネクタＣＮ１が一括して接続される端子ＴＭＡ、ＴＭＢおよびＴＭＣを含むコネクタ２４５を有する。
【０４１６】
専用ケーブル９９を介して電子レンジ１Ｇとモバイル２Ｈとが接続されたときには、端子ＴｍＡ、ＴｍＢおよびＴｍＣのそれぞれと端子ＴＭＡ、端子ＴＭＢおよび端子ＴＭＣのそれぞれとは対応して接続される。
【０４１７】
上述したように電子レンジ１Ｇとモバイル２Ｈとの専用ケーブル９９を介した接続状態における、モバイル２Ｈを起動状態に設定するための手順、および図５８で説明されたような手順に従う図８９の回路の動作は、信号がケーブル９９を経由する他は、実施の形態２６で説明されたものと同じなので、その説明は省略される。
【０４１８】
本実施の形態における専用ケーブル９９の長さは、図８５で示されたような状態において、電子レンジ１Ｇの上面にモバイル２Ｈを設置することができないような長さに予め調整されている。よって、モバイル２Ｈが電子レンジ１Ｇの上面に載置されて使用されて、電子レンジ１Ｇから放出される熱によりモバイル２Ｈがダメージを受けて故障することは防止される。
【０４１９】
また、図８６のコネクタＣＮ１の形状は小型化されているので、コネクタＣＮ１が差込まれるコネクタ２４５を、電子レンジ１Ｇの筐体の任意の位置に設置することができる。
【０４２０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】  この発明の実施の形態１による電子レンジシステムの概略構成図である。
【図２】  図１の各部のブロック構成を示す図である。
【図３】  図１のホストコンピュータのホームページ格納部に格納されるホームページ情報に従って表示されるホームページ画面の例を示す図である。
【図４】  図１のホストコンピュータのホームページ格納部に格納されるホームページ情報に従って表示されるホームページ画面の例を示す図である。
【図５】  図１のホストコンピュータのホームページ格納部に格納されるホームページ情報に従って表示されるホームページ画面の例を示す図である。
【図６】  この発明の実施の形態によるホームページ作成時の各料理についての料理情報の作成手順の概略フローチャートである。
【図７】  図６の料理情報の作成手順に従って作成された材料データを模式的に示す図である。
【図８】  図６の料理情報の作成手順に従って作成された作り方データを模式的に示す図である。
【図９】  この発明の実施の形態１における電子レンジの加熱制御に関する加熱データを示す図である。
【図１０】  図６で作成された各料理についての料理情報を含むホームページ情報を示す図である。
【図１１】  図１０に示された料理情報を形式変換して得られたデータリストを示す図である。
【図１２】  図１のパソコンにおける料理情報のダウンロードに関する操作概要を示すフローチャートである。
【図１３】  図１の中継ＢＯＸの動作の概略を示すフローチャートである。
【図１４】  図１の電子レンジの動作の概略を示すフローチャートである。
【図１５】  （Ａ）〜（Ｄ）は図１４のフローチャートにおける電子レンジ側の表示画面例を説明する図である。
【図１６】  図１４のフローチャートにおける中継ＢＯＸ側のフラッシュメモリの内容例を示す図である。
【図１７】  図１５（Ｄ）に関連する画面の表示の仕方を説明する図である。
【図１８】  （Ａ）〜（Ｃ）は、この発明の実施の形態１による中継ＢＯＸのフラッシュメモリに料理情報が格納されていない場合の電子レンジ側の表示画面例を示す図である。
【図１９】  この発明の実施の形態１による電子レンジからの指示入力により中継ＢＯＸのメモリに格納されている料理情報を他の料理情報に入換える手順を示すフローチャートである。
【図２０】  （Ａ）〜（Ｃ）は図１９のフローチャートに従う中継ＢＯＸのメモリの内容の変化を示す図である。
【図２１】  （Ａ）〜（Ｆ）は図１９のフローチャートに従う電子レンジにおける表示画面の変化を示す図である。
【図２２】  この発明の実施の形態２による電子レンジシステムの概略構成図である。
【図２３】  図２２の電子レンジとパソコンとのブロック構成を示す図である。
【図２４】  この発明の実施の形態３による電子レンジシステムの概略構成図である。
【図２５】  図２４の電子レンジとパソコンとのブロック構成を示す図である。
【図２６】  この発明の実施の形態４による電子レンジシステムの概略構成図である。
【図２７】  図２６の電子レンジ、中継ＢＯＸおよびパソコンのブロック構成を示す図である。
【図２８】  この発明の実施の形態５における料理情報の構成例を示す図である。
【図２９】  この発明の実施の形態６における電子レンジシステムの概略構成を示す図である。
【図３０】  （Ａ）と（Ｂ）はこの発明の実施の形態６における料理情報と加熱データの構成を示す図である。
【図３１】  この発明の実施の形態６における電子レンジの動作を中継ＢＯＸとの通信動作を含んで説明するためのフローチャートである。
【図３２】  この発明の実施の形態７を説明するための画面表示例を示す図である。
【図３３】  この発明の実施の形態７を説明するための画面表示例を示す図である。
【図３４】  この発明の実施の形態７を説明するための画面表示例を示す図である。
【図３５】  この発明の実施の形態７の中継ＢＯＸとパソコンにおける動作を説明するためのフローチャートである。
【図３６】  この発明の実施の形態８における中継ＢＯＸと電子レンジとの動作を説明するためのフローチャートである。
【図３７】  （Ａ）〜（Ｃ）は、図３６のフローチャートにおいて電子レンジ側で表示される画面例を示す図である。
【図３８】  この発明の実施の形態９における中継ＢＯＸと電子レンジとの動作を説明するためのフローチャートである。
【図３９】  この発明の実施の形態１０における中継ＢＯＸと電子レンジとの動作を説明するためのフローチャートである。
【図４０】  この発明の実施の形態１１による電子レンジシステムの構成を示す図である。
【図４１】  図４０の各部の構成を示す図である。
【図４２】  この発明の実施の形態１２における中継ＢＯＸと電子レンジとの動作を説明するためのフローチャートである。
【図４３】  図４２のフローチャートにおいて電子レンジ側で表示される画面例を示す図である。
【図４４】  この発明の実施の形態１３における電子レンジシステムの構成図である。
【図４５】  図４４の各部の構成図である。
【図４６】  この発明の実施の形態１３における中継ＢＯＸとパソコンとの動作を示すフローチャートである。
【図４７】  この発明の実施の形態１４における中継ＢＯＸと電子レンジとの動作を示すフローチャートである。
【図４８】  この発明の実施の形態１５における中継ＢＯＸとパソコンの動作を説明するためのフローチャートである。
【図４９】  （Ａ）と（Ｂ）は、この発明の実施の形態１６による電子レンジシステムの概略構成図である。
【図５０】  実施の形態１６の電子レンジとモバイルのブロック構成を示す図である。
【図５１】  本発明の各実施の形態に係る電子レンジシステムにおけるソフトウェアの機能ブロックを概念的に示した図である。
【図５２】  （Ａ）と（Ｂ）は、図４９（Ａ）におけるモバイルからホームページングへのアクセス手順を示すフローチャートである。
【図５３】  （Ａ）〜（Ｃ）は、図５２（Ａ）と（Ｂ）の処理にて表示される画面例を示す図である。
【図５４】  この発明の実施の形態１６によるホストコンピュータ側の料理情報を検索してモバイルにロードするための処理フローチャートである。
【図５５】  図５４の処理における表示画面例を示す図である。
【図５６】  図５４の処理における表示画面例を示す図である。
【図５７】  図５４の処理における表示画面例を示す図である。
【図５８】  図４９のモバイルにダウンロードされた料理情報を電子レンジに伝送して記憶させるための手順を示すフローチャートである。
【図５９】  図５８の処理における電子レンジとモバイルとの通信時にモバイルにて表示される画面例を示す図である。
【図６０】  図５８の処理において電子レンジとモバイルとの通信時にモバイルにて表示される画面例を示す図である。
【図６１】  本発明の実施の形態１７によるモバイルにＰＨＳ電話機と電子レンジ側の専用ケーブルとを同時に接続した状態を示す図である。
【図６２】  図６１の電子レンジとモバイルのブロック構成を示す図である。
【図６３】  （Ａ）と（Ｂ）は、この発明の実施の形態１８においてモバイルと電子レンジとがＩｒＤＡにより通信する状態を示す図である。
【図６４】  図６３（Ｂ）の電子レンジとモバイルのブロック構成を示す図である。
【図６５】  （Ａ）と（Ｂ）は、本発明の実施の形態１９によるモバイルから電子レンジへの料理情報の転送における編集のための画面表示の一例を示す図である。
【図６６】  （Ａ）と（Ｂ）は、この発明の実施の形態１９によるモバイルから電子レンジへの料理情報の転送における編集のための画面表示の他の例を示す図である。
【図６７】  （Ａ）と（Ｂ）は、この発明の実施の形態２０によるモバイルのメモリから料理のデータを削除する場合の画面表示例を示す図である。
【図６８】  （Ａ）と（Ｂ）は、この発明の実施の形態２１による通信待機のために表示される画面例を示す図である。
【図６９】  （Ａ）と（Ｂ）は、この発明の実施の形態２１による通信待機のために表示される画面例を示す図である。
【図７０】  （Ａ）と（Ｂ）は、この発明の実施の形態２２によるモバイルにダウンロードされる料理情報と付与されるファイル名の一例を説明する図である。
【図７１】  この発明の実施の形態２２による処理フローチャートである。
【図７２】  （Ａ）〜（Ｄ）は、この発明の実施の形態２３におけるモバイルの表示部における表示画面例を示す図である。
【図７３】  （Ａ）〜（Ｄ）は、本実施の形態２３による各分類名と、そこに対応して登録された料理名とが表示される画面例を示す図である。
【図７４】  本実施の形態２３によるモバイルのメモリにおける分類名と料理名の対応関係を示す図である。
【図７５】  本実施の形態２４によるモバイルにおける電子レンジ側に転送する料理名の選択のための画面表示の一例を示す図である。
【図７６】  （Ａ）〜（Ｃ）は、本実施の形態２４における所望の料理情報をモバイルのメモリから削除する場合の表示画面例を示す図である。
【図７７】  （Ａ）と（Ｂ）は、本実施の形態２４における所望料理情報をモバイルのメモリから削除する場合の表示画面例を示す図である。
【図７８】  （Ａ）と（Ｂ）は、この発明の実施の形態２５によるモバイルにおいて電子レンジ側に転送する料理名の選択のための画面表示の一例を示す図である。
【図７９】  （Ａ）〜（Ｄ）は、本実施の形態２５によるモバイルにダウンロードされた複数の料理情報から所望する料理情報を削除する際に表示される画面例を示す図である。
【図８０】  （Ａ）と（Ｂ）は、この発明の実施の形態２６による電子レンジシステムの概略構成図である。
【図８１】  （Ａ）と（Ｂ）は、実施の形態２６の電子レンジとモバイルのブロック構成を示す図である。
【図８２】  （Ａ）〜（Ｃ）は図８０（Ｂ）において電子レンジ１Ｊにモバイル２Ｊを接続する態様を説明する図である。
【図８３】  図８０（Ａ）と（Ｂ）のモバイル２ＪのＩ／Ｆ部２６Ｊのコネクタ部分の概観図である。
【図８４】  図８１（Ｂ）の電子レンジ１Ｊの内部のモバイル２Ｊとの通信に関する箇所の回路図である。
【図８５】  この発明の実施の形態２７における専用ケーブルを介して電子レンジとモバイルとが接続された状態を示す図である。
【図８６】  図８５の専用ケーブルの外観を示す図である。
【図８７】  図８５の電子レンジに設けられたコネクタの部分を示す図である。
【図８８】  図８５のモバイルに設けられたコネクタ部分の外観図である。
【図８９】  この発明の実施の形態２７によるコネクタ継手部内の回路を説明する図である。
【符号の説明】
１，１Ａ，１Ｂ，１Ｃ，１Ｇ，ＩＨ，１Ｉ，１Ｊ  電子レンジ、２，２Ａ，２Ｂ，２Ｃ  パソコン、２Ｇ，２Ｈ，２Ｉ，２Ｊ  モバイル、３，３Ｃ，３Ｅ，３Ｆ  中継ＢＯＸ、４  ホストコンピュータ、５  インターネット、８Ｇ  携帯型電話機、８Ａ  ＰＨＳ電話機、３１  フラッシュメモリ、８１  拡張コード、８２  アドレス情報、８３  タイトルデータ、８４  加熱データ、８５  制御データ、８６  表示データ、９０，９１，２００  表示領域、１００  インターネットクッキングシステム、１０１  ブラウザ、１０２  スマートクッキング、９９，９９０  ケーブル、１７４  インターネットキー、４２１  ホームページ格納部、ＭＩ  料理情報、ＨＭＤ  ホームページ情報、Ｂ１  転送ボタン、ＤＳ１３表示データ、ＤＳ１４  加熱データ、ＤＳ１５  画面データ、ＭＮｉ  料理名、ＧＭｉ  分類名、ＩＤｉ  材料データ、ＪＤｉ  作り方データ、ＫＤｉ，ＫＤ１ｉ  加熱データ、ＭＤ  機種コード、ＤＤ  データ。
なお、各図中同一符号は同一または相当部分を示す。
【図１】
0004188524.tif 000002
【図２】
0004188524.tif 000003
【図３】
0004188524.tif 000004
【図４】
0004188524.tif 000005
【図５】
0004188524.tif 000006
【図６】
0004188524.tif 000007
【図７】
0004188524.tif 000008
【図８】
0004188524.tif 000009
【図９】
0004188524.tif 000010
【図１０】
0004188524.tif 000011
【図１１】
0004188524.tif 000012
【図１２】
0004188524.tif 000013
【図１３】
0004188524.tif 000014
【図１４】
0004188524.tif 000015
【図１５】
0004188524.tif 000016
【図１６】
0004188524.tif 000017
【図１７】
0004188524.tif 000018
【図１８】
0004188524.tif 000019
【図１９】
0004188524.tif 000020
【図２０】
0004188524.tif 000021
【図２１】
0004188524.tif 000022
【図２２】
0004188524.tif 000023
【図２３】
0004188524.tif 000024
【図２４】
0004188524.tif 000025
【図２５】
0004188524.tif 000026
【図２６】
0004188524.tif 000027
【図２７】
0004188524.tif 000028
【図２８】
0004188524.tif 000029
【図２９】
0004188524.tif 000030
【図３０】
0004188524.tif 000031
【図３１】
0004188524.tif 000032
【図３２】
0004188524.tif 000033
【図３３】
0004188524.tif 000034
【図３４】
0004188524.tif 000035
【図３５】
0004188524.tif 000036
【図３６】
0004188524.tif 000037
【図３７】
0004188524.tif 000038
【図３８】
0004188524.tif 000039
【図３９】
0004188524.tif 000040
【図４０】
0004188524.tif 000041
【図４１】
0004188524.tif 000042
【図４２】
0004188524.tif 000043
【図４３】
0004188524.tif 000044
【図４４】
0004188524.tif 000045
【図４５】
0004188524.tif 000046
【図４６】
0004188524.tif 000047
【図４７】
0004188524.tif 000048
【図４８】
0004188524.tif 000049
【図４９】
0004188524.tif 000050
【図５０】
0004188524.tif 000051
【図５１】
0004188524.tif 000052
【図５２】
0004188524.tif 000053
【図５３】
0004188524.tif 000054
【図５４】
0004188524.tif 000055
【図５５】
0004188524.tif 000056
【図５６】
0004188524.tif 000057
【図５７】
0004188524.tif 000058
【図５８】
0004188524.tif 000059
【図５９】
0004188524.tif 000060
【図６０】
0004188524.tif 000061
【図６１】
0004188524.tif 000062
【図６２】
0004188524.tif 000063
【図６３】
0004188524.tif 000064
【図６４】
0004188524.tif 000065
【図６５】
0004188524.tif 000066
【図６６】
0004188524.tif 000067
【図６７】
0004188524.tif 000068
【図６８】
0004188524.tif 000069
【図６９】
0004188524.tif 000070
【図７０】
0004188524.tif 000071
【図７１】
0004188524.tif 000072
【図７２】
0004188524.tif 000073
【図７３】
0004188524.tif 000074
【図７４】
0004188524.tif 000075
【図７５】
0004188524.tif 000076
【図７６】
0004188524.tif 000077
【図７７】
0004188524.tif 000078
【図７８】
0004188524.tif 000079
【図７９】
0004188524.tif 000080
【図８０】
0004188524.tif 000081
【図８１】
0004188524.tif 000082
【図８２】
0004188524.tif 000083
【図８３】
0004188524.tif 000084
【図８４】
0004188524.tif 000085
【図８５】
0004188524.tif 000086
【図８６】
0004188524.tif 000087
【図８７】
0004188524.tif 000088
【図８８】
0004188524.tif 000089
【図８９】
0004188524.tif 000090